(57)【特許請求の範囲】
【請求項１】
携帯型通信端末を所持して乗客が乗り物に乗降する場合において乗客が所持する携帯型通信端末からセンタ装置に乗客の乗降状態を逐次伝達し、これに対してセンタ装置から携帯型通信端末を介して乗客に乗降案内を行う乗降案内方法であって、
センタ装置は、
各乗り物の乗り物名、現在位置を含む運行状況を各乗り物ＩＤに対応して運行状況管理データベースに登録管理し、
出発場所、到着場所、出発または到着時刻に対して出発場所で乗るべき乗り物名を含む乗降案内情報を乗降案内情報データベースに登録し、
乗客が乗り物に乗る場合に携帯型通信端末に入力される乗り場所名を携帯型通信端末から携帯型通信端末の通信回線を介して乗客ＩＤとともに受信し、
乗客が乗り物に乗る場合に携帯型通信端末に入力される行き先名を携帯型通信端末から携帯型通信端末の通信回線を介して乗客ＩＤとともに受信し、
前記受信した乗り場所名、行き先名、および当該受信時刻に基づき前記運行状況管理データベースおよび乗降案内情報データベースを検索し、乗り物名、乗り場情報、出発時刻、および到着時刻を前記データベースから取得し、乗客ＩＤに対応して乗り物名、乗り場所名、乗り場情報、出発時刻、行き先名、到着時刻を乗客データベースに登録するとともに、乗客ＩＤに基づき乗客の携帯型通信端末を呼び出し、前記乗り場所での乗り物名、乗り場情報、出発時刻、行き先名、到着時刻を乗客に通知し、
乗客が乗り物に乗り込んだ場合に携帯型通信端末に入力される乗込み乗り物名を携帯型通信端末から携帯型通信端末の通信回線を介して乗客ＩＤとともに受信し、
この受信した乗込み乗り物名が前記乗り物名に一致するか否かを前記乗客データベースに登録されている情報に基づき判定し、一致しない場合には、乗客ＩＤに基づき乗客の携帯型通信端末を呼び出し、正しい乗り物名、乗り場情報、出発時刻、行き先名を通知し、
前記判定の結果、乗客が正しい乗り物に乗り込んだ場合には、前記乗客データベースに登録された乗客の乗り物の運行状況を前記運行状況管理データベースに格納された当該乗り物の運行状況に基づき監視し、当該乗り物が行き先に接近した場合に、乗客ＩＤに基づき乗客の携帯型通信端末を呼び出し、行き先に接近した旨の通知を行い、
乗客が乗り物から降りる場合に入力される降りた情報を携帯型通信端末から携帯型通信端末の通信回線を介して乗客ＩＤとともに受信し、
この受信した降りた情報に基づき判明した降り場所が前記行き先に一致するか否かを判定し、一致しない場合には、乗客ＩＤに基づき乗客の携帯型通信端末を呼び出し、降り場所誤り通知および正しい乗降案内を行うこと
を特徴とする乗降案内方法。
【請求項２】
携帯型通信端末を所持して乗客が乗り物に乗降する場合において乗客が所持する携帯型通信端末からセンタ装置に乗客の乗降状態を逐次伝達し、これに対してセンタ装置から携帯型通信端末を介して乗客に乗降案内を行う乗降案内方法であって、
センタ装置は、
各乗り物の乗り物名、現在位置を含む運行状況を各乗り物ＩＤに対応して運行状況管理データベースに登録管理し、
出発場所、到着場所、出発または到着時刻に対して出発場所で乗るべき乗り物名を含む乗降案内情報を乗降案内情報データベースに登録し、
乗客が乗り物に乗る場合に携帯型通信端末に入力される初乗り場所名を携帯型通信端末から携帯型通信端末の通信回線を介して乗客ＩＤとともに受信し、
乗客が乗り物に乗る場合に携帯型通信端末に入力される行き先名を携帯型通信端末から携帯型通信端末の通信回線を介して乗客ＩＤとともに受信し、
前記受信した初乗り場所名、行き先名、および当該受信時刻に基づき前記運行状況管理データベースおよび乗降案内情報データベースを検索し、途中乗り換えを含む乗り物名、乗り場情報、出発時刻、および到着時刻を途中乗換え含有取得情報として前記データベースから取得し、乗客ＩＤに対応して途中乗り換えを含む乗り物名、乗り場情報、出発時刻、行き先名、および到着時刻を途中乗換え含有登録情報として乗客データベースに登録するとともに、乗客ＩＤに基づき乗客の携帯型通信端末を呼び出し、途中乗り換えを含む乗降案内情報を乗客に通知し、
乗客が乗り物に乗り込んだ場合に携帯型通信端末に入力される乗込み乗り物名を携帯型通信端末から携帯型通信端末の通信回線を介して乗客ＩＤとともに受信し、
この受信した乗込み乗り物名が前記乗り物名に一致するか否かを前記乗客データベースに登録されている情報に基づき判定し、一致しない場合には、乗客ＩＤに基づき乗客の携帯型通信端末を呼び出し、正しい乗り物名、乗り場情報、出発時刻、行き先名を通知し、
前記判定の結果、乗客が正しい乗り物に乗込んだ場合には、前記乗客データベースに登録された乗客の乗り物の運行状況を前記運行状況管理データベースに格納された当該乗り物の運行状況に基づき監視し、当該乗り物が途中乗り換え場所に接近した場合に、乗客ＩＤに基づき乗客の携帯型通信端末を呼び出し、途中乗り換え場所に接近した旨の通知を行い、
乗客が途中乗り換え場所で乗り物から降りる場合に入力される降りた情報を携帯型通信端末から携帯型通信端末の通信回線を介して乗客ＩＤとともに受信し、
この受信した降りた情報に基づき判明した降り場所が前記途中乗り換え場所に一致するか否かを判定し、一致する場合には、乗客ＩＤに基づき乗客の携帯型通信端末を呼び出し、当該途中乗り換え場所での途中乗り換え用乗り物名、出発時刻、乗り場情報を乗客に通知し、一致しない場合には、乗客ＩＤに基づき乗客の携帯型通信端末を呼び出し、途中乗り換え場所誤り通知および正しい乗り換え案内を行い、
乗客が途中乗り換え用乗り物に乗り込んだ場合に携帯電話に入力される乗込み乗り物名を携帯型通信端末から携帯型通信端末の通信回線を介して乗客ＩＤとともに受信し、
この受信した乗込み乗り物名が前記途中乗り換え用乗り物名に一致するか否かを前記乗客データベースに登録されている情報に基づき判定し、一致しない場合には、乗客ＩＤに基づき乗客の携帯型通信端末を呼び出し、正しい途中乗り換え用乗り物名、乗り場情報、出発時刻、行き先名を通知し、
前記判定の結果、乗客が正しい途中乗り換え用乗り物に乗り込んだ場合には、前記乗客データベースに登録された乗客の途中乗り換え用乗り物の運行状況を前記運行状況管理データベースに格納された当該乗り物の運行状況に基づき監視し、当該乗り物が行き先に接近した場合に、乗客ＩＤに基づき乗客の携帯型通信端末を呼び出し、行き先に接近した旨の通知を行い、
乗客が乗り物から降りる場合に入力される降りた情報を携帯型通信端末から携帯型通信端末の通信回線を介して乗客ＩＤとともに受信し、
この受信した降り場所が前記行き先に一致するか否かを判定し、一致しない場合には、乗客ＩＤに基づき乗客の携帯型通信端末を呼び出し、降り場所誤り通知および正しい乗降案内を行うこと
を特徴とする乗降案内方法。
【請求項３】
前記乗客が乗り物に乗る場合に携帯型通信端末に入力される乗り場所名を携帯型通信端末から乗客ＩＤとともに受信する処理は、当該乗り場所に設けられている乗り場所名用データ送信装置から無線データとして送信される乗り場所名を携帯型通信端末で受信し、この受信した乗り場所名を携帯型通信端末からセンタ装置に送信するようになっており、
前記乗客が乗り物に乗る場合に携帯型通信端末に入力される行き先名を携帯型通信端末から乗客ＩＤとともに受信する処理は、当該乗り場所に設けられている行き先名用データ送信装置から無線データとして送信される行き先名を携帯型通信端末で受信し、この受信した行き先名を携帯型通信端末からセンタ装置に送信するようになっており、
前記乗客が乗り物に乗り込んだ場合に携帯型通信端末に入力される乗込み乗り物名を携帯型通信端末から乗客ＩＤとともに受信する処理は、当該乗り物に設けられている乗込み乗り物名用データ送信装置から無線データとして送信される乗込み乗り物名を携帯型通信端末で受信し、この受信した乗込み乗り物名を携帯型通信端末からセンタ装置に送信するようになっており、
前記乗客が乗り物から降りる場合に入力される降り場所名を携帯型通信端末から乗客ＩＤとともに受信する処理は、当該降り場所に設けられている降り場所名用データ送信装置から無線データとして送信される降り場所名を携帯型通信端末で受信し、この受信した降り場名を携帯型通信端末からセンタ装置に送信するようになっており、
前記携帯型通信端末は、データ送信装置から送信される無線データを受信し、この受信したデータを携帯型通信端末の通信回線を介してセンタ装置に送信するようになっていること
を特徴とする請求項１または２記載の乗降案内方法。
【請求項４】
前記運行状況管理データベースは、各乗り物の乗り物名、始発場所、始発時刻、始発乗り物情報、到着場所、到着時刻、到着乗り場情報、途中停止場所、途中停止場所での発着時刻、停止乗り物情報、現在位置を含む情報を運行状況として各乗り物ＩＤに対応して登録管理し、
前記乗換案内情報データベースは、出発場所、到着場所、出発または到着時刻に対して出発場所で乗るべき乗り物名、乗り物ＩＤ、出発時刻、出発乗り場情報、到着場所への到着予定時刻を出力し得るように各乗り物の出発場所、到着場所、出発時刻、到着時刻に関する情報を乗降案内情報として登録すること
を特徴とする請求項１記載の乗降案内方法。
【請求項５】
前記運行状況管理データベースは、各乗り物の乗り物名、始発場所、始発時刻、始発乗り場情報、到着場所、到着時刻、到着乗り場情報、途中停止場所、途中停止場所での発着時刻、停止乗り場情報、現在位置を含む情報を運行状況として各乗り物ＩＤに対応して登録管理し、
乗換案内情報データベースは、出発場所、到着場所、出発時刻または到着時刻に対して出発場所で乗るべき乗り物名、乗り物ＩＤ、出発時刻、出発乗り場情報、途中乗り換え場所、途中乗り換え時刻、途中乗り換え用乗り物名、途中乗り換え用乗り物ＩＤ、途中乗り換え用乗り物の途中乗り換え場所からの出発時刻、途中乗り換え用出発乗り場情報、到着場所への到着予定時刻を出力し得るように各乗り物の出発場所、到着場所、出発時刻、到着時刻に関する情報を乗降案内情報として登録管理すること
を特徴とする請求項２記載の乗降案内方法。
【請求項６】
前記途中乗換え含有取得情報は、途中乗り換え場所までの乗り物名、乗り場情報、出発時刻、途中乗り換え場所までの乗り物での行き先名、途中乗り換え場所、途中乗り換え時刻、途中乗り換え用乗り物名、途中乗り換え用乗り物の途中乗り換え場所からの出発時刻、途中乗り換え用出発乗り場情報、途中乗り換え用乗り物での行き先名、行き先への到着時刻を含み、
前記途中乗換え含有登録情報は、乗客ＩＤに対応して途中乗り換え場所までの乗り物名、乗り物ＩＤ、初乗り場所名、乗り場情報、出発時刻、途中乗り換え場所までの乗り物での行き先名、途中乗り換え場所、途中乗り換え時刻、途中乗り換え用乗り物名、途中乗り換え用乗り物の途中乗り換え場所からの出発時刻、途中乗り換え用出発乗り場情報、途中乗り換え用乗り物での行き先名、行き先への到着時刻を含み、
前記途中乗り換えを含む乗降案内情報は、初乗り場所での乗り物名、乗り場情報、出発時刻、途中乗り換え場所名、途中乗り換え時刻、途中乗り換え用乗り物名、途中乗り換え場所からの出発時刻、途中乗り換え用出発乗り場情報、行き先への到着時刻を含むこと
を特徴とする請求項２記載の乗降案内方法。
【請求項７】
携帯型通信端末を所持して乗客が乗り物に乗降する場合において乗客が所持する携帯型通信端末からセンタ装置に乗客の乗降状態を逐次伝達し、これに対してセンタ装置から携帯型通信端末を介して乗客に乗降案内を行う乗降案内システムであって、
センタ装置は、
各乗り物の乗り物名、現在位置を含む運行状況を各乗り物ＩＤに対応して登録管理する運行状況管理データベースと、
出発場所、到着場所、出発または到着時刻に対して出発場所で乗るべき乗り物名を含む乗降案内情報を登録する乗降案内情報データベースと、
乗客が乗り物に乗る場合に携帯型通信端末に入力される乗り場所名を携帯型通信端末から携帯型通信端末の通信回線を介して乗客ＩＤとともに受信する乗り場所名受信手段と、
乗客が乗り物に乗る場合に携帯型通信端末に入力される行き先名を携帯型通信端末から携帯型通信端末の通信回線を介して乗客ＩＤとともに受信する行き先名受信手段と、
前記受信した乗り場所名、行き先名、および当該受信時刻に基づき前記運行状況管理データベースおよび乗降案内情報データベースを検索し、乗り物名、乗り場情報、出発時刻、および到着時刻を前記データベースから取得する検索手段と、
前記検索で取得した情報に基づき乗客ＩＤに対応して乗り物名、乗り場所名、乗り場情報、出発時刻、行き先名、到着時刻を登録する乗客データベースと、
乗客ＩＤに基づき乗客の携帯型通信端末を呼び出し、前記検索で取得した情報に基づく前記乗り場所での乗り物名、乗り場情報、出発時刻、行き先名、到着時刻を乗客に通知する乗り物名等通知手段と、
乗客が乗り物に乗り込んだ場合に携帯型通信端末に入力される乗込み乗り物名を携帯型通信端末から携帯型通信端末の通信回線を介して乗客ＩＤとともに受信する乗込み乗り物名受信手段と、
この受信した乗込み乗り物名が前記乗り物名に一致するか否かを前記乗客データベースに登録されている情報に基づき判定し、一致しない場合には、乗客ＩＤに基づき乗客の携帯型通信端末を呼び出し、正しい乗り物名、乗り場情報、出発時刻、行き先名を通知する乗り物誤り時正解乗り物名等通知手段と、
前記判定の結果、乗客が正しい乗り物に乗り込んだ場合には、前記乗客データベースに登録された乗客の乗り物の運行状況を前記運行状況管理データベースに格納された当該乗り物の運行状況に基づき監視し、当該乗り物が行き先に接近した場合に、乗客ＩＤに基づき乗客の携帯型通信端末を呼び出し、行き先に接近した旨の通知を行う行き先接近通知手段と、
乗客が乗り物から降りる場合に入力される降りた情報を携帯型通信端末から携帯型通信端末の通信回線を介して乗客ＩＤとともに受信する降りた情報受信手段と、
この受信した降りた情報に基づき判明した降り場所が前記行き先に一致するか否かを判定し、一致しない場合には、乗客ＩＤに基づき乗客の携帯型通信端末を呼び出し、降り場所誤り通知および正しい乗降案内を行う降り場所誤り通知手段と
を有することを特徴とする乗降案内システム。
【請求項８】
携帯型通信端末を所持して乗客が乗り物に乗降する場合において乗客が所持する携帯型通信端末からセンタ装置に乗客の乗降状態を逐次伝達し、これに対してセンタ装置から携帯型通信端末を介して乗客に乗降案内を行う乗降案内システムであって、
センタ装置は、
各乗り物の乗り物名、現在位置を含む運行状況を各乗り物ＩＤに対応して登録管理する運行状況管理データベースと、
出発場所、到着場所、出発または到着時刻に対して出発場所で乗るべき乗り物名を含む乗降案内情報を登録する乗降案内情報データベースと、
乗客が乗り物に乗る場合に携帯型通信端末に入力される初乗り場所名を携帯型通信端末から携帯型通信端末の通信回線を介して乗客ＩＤとともに受信する乗り場所名受信手段と、
乗客が乗り物に乗る場合に携帯型通信端末に入力される行き先名を携帯型通信端末から携帯型通信端末の通信回線を介して乗客ＩＤとともに受信する行き先名受信手段と、
前記受信した初乗り場所名、行き先名、および当該受信時刻に基づき前記運行状況管理データベースおよび乗降案内情報データベースを検索し、途中乗り換えを含む乗り物名、乗り場情報、出発時刻、および到着時刻を途中乗換え含有取得情報として前記データベースから取得する検索手段と、
前記検索で取得した情報に基づき乗客ＩＤに対応して途中乗り換えを含む乗り物名、乗り場情報、出発時刻、行き先名、および到着時刻を途中乗換え含有登録情報として登録する乗客データベースと、
乗客ＩＤに基づき乗客の携帯型通信端末を呼び出し、前記検索で取得した情報に基づく途中乗り換えを含む乗降案内情報を乗客に通知する途中乗換通知手段と、
乗客が乗り物に乗り込んだ場合に携帯型通信端末に入力される乗込み乗り物名を携帯型通信端末から携帯型通信端末の通信回線を介して乗客ＩＤとともに受信する乗込み乗り物名受信手段と、
この受信した乗込み乗り物名が前記乗り物名に一致するか否かを前記乗客データベースに登録されている情報に基づき判定し、一致しない場合には、乗客ＩＤに基づき乗客の携帯型通信端末を呼び出し、正しい乗り物名、乗り場情報、出発時刻、行き先名を通知する乗り物誤り時正解乗り物名等通知手段と、
前記判定の結果、乗客が正しい乗り物に乗込んだ場合には、前記乗客データベースに登録された乗客の乗り物の運行状況を前記運行状況管理データベースに格納された当該乗り物の運行状況に基づき監視し、当該乗り物が途中乗り換え場所に接近した場合に、乗客ＩＤに基づき乗客の携帯型通信端末を呼び出し、途中乗り換え場所に接近した旨の通知を行う途中乗換場所接近通知手段と、
乗客が途中乗り換え場所で乗り物から降りる場合に入力される降りた情報を携帯型通信端末から携帯型通信端末の通信回線を介して乗客ＩＤとともに受信する途中乗換降り場所名受信手段と、
この受信した降りた情報に基づき判明した降り場所が前記途中乗り換え場所に一致するか否かを判定し、一致する場合には、乗客ＩＤに基づき乗客の携帯型通信端末を呼び出し、当該途中乗り換え場所での途中乗り換え用乗り物名、出発時刻、乗り場情報を乗客に通知し、一致しない場合には、乗客ＩＤに基づき乗客の携帯型通信端末を呼び出し、途中乗り換え場所誤り通知および正しい乗り換え案内を行う途中乗換降り場所誤り通知手段と、
乗客が途中乗り換え用乗り物に乗り込んだ場合に携帯電話に入力される乗込み乗り物名を携帯型通信端末から携帯型通信端末の通信回線を介して乗客ＩＤとともに受信する途中乗換乗り物名受信手段と、
この受信した乗込み乗り物名が前記途中乗り換え用乗り物名に一致するか否かを前記乗客データベースに登録されている情報に基づき判定し、一致しない場合には、乗客ＩＤに基づき乗客の携帯型通信端末を呼び出し、正しい途中乗り換え用乗り物名、乗り場情報、出発時刻、行き先名を通知する途中乗換乗り物誤り時正解乗り物名等通知手段と、
前記判定の結果、乗客が正しい途中乗り換え用乗り物に乗り込んだ場合には、
前記乗客データベースに登録された乗客の途中乗り換え用乗り物の運行状況を前記運行状況管理データベースに格納された当該乗り物の運行状況に基づき監視し、当該乗り物が行き先に接近した場合に、乗客ＩＤに基づき乗客の携帯型通信端末を呼び出し、行き先に接近した旨の通知を行う行き先接近通知手段と、
乗客が乗り物から降りる場合に入力される降りた情報を携帯型通信端末から携帯型通信端末の通信回線を介して乗客ＩＤとともに受信する降り情報受信手段と、
この受信した降りた情報に基づき判明した降り場所が前記行き先に一致するか否かを判定し、一致しない場合には、乗客ＩＤに基づき乗客の携帯型通信端末を呼び出し、降り場所誤り通知および正しい乗降案内を行う降り場所誤り通知手段と
を有することを特徴とする乗降案内システム。
【請求項９】
前記乗り場所名受信手段は、当該乗り場所に設けられて、乗り場所名を無線データとして送信する乗り場所名用データ送信装置と、該データ送信装置から無線データとして送信される乗り場所名を携帯型通信端末で受信し、この受信した乗り場所名を携帯型通信端末からセンタ装置に送信する乗り場所名送信手段とを有し、
前記行き先名受信手段は、当該乗り場所に設けられて、行き先名を無線データとして送信する行き先名用データ送信手段と、該データ送信手段から無線データとして送信される行き先名を携帯型通信端末で受信し、この受信した行き先名を携帯型通信端末からセンタ装置に送信する行き先名送信手段とを有し、
前記乗込み乗り物名受信手段は、当該乗り物に設けられて、乗込み乗り物名を無線データとして送信する乗込み乗り物名用データ送信装置と、該データ送信装置から無線データとして送信される乗込み乗り物名を携帯型通信端末で受信し、この受信した乗込み乗り物名を携帯型通信端末からセンタ装置に送信する乗込み乗り物名送信手段とを有し、
前記降り場所名受信手段は、当該降り場所に設けられて、降りた情報無線データとして送信する降り情報用データ送信装置と、該データ送信手段から無線データとして送信される降り場所名を携帯型通信端末で受信し、この受信した降りた情報に基づいて判明した降り場所名を携帯型通信端末からセンタ装置に送信する降り場所名送信手段とを有し、
前記携帯型通信端末は、データ送信装置から送信される無線データを受信し、この受信したデータを携帯型通信端末の通信回線を介してセンタ装置に送信するデータ受信手段
を有することを特徴とする請求項７または８記載の乗降案内システム。
【請求項１０】
前記運行状況管理データベースは、各乗り物の乗り物名、始発場所、始発時刻、始発乗り物情報、到着場所、到着時刻、到着乗り物情報、途中停止場所、途中停止場所での発着時刻、停止乗り場情報、現在位置を含む情報を運行状況として各乗り物ＩＤに対応して登録管理し、
前記乗換案内情報データベースは、出発場所、到着場所、出発または到着時刻に対して出発場所で乗るべき乗り物名、乗り物ＩＤ、出発時刻、出発乗り場情報、到着場所への到着予定時刻を出力し得るように各乗り物の出発場所、到着場所、出発時刻、到着時刻に関する情報を乗降案内情報として登録すること
を特徴とする請求項７記載の乗降案内システム。
【請求項１１】
前記運行状況管理データベースは、各乗り物の乗り物名、始発場所、始発時刻、始発乗り場情報、到着場所、到着時刻、到着乗り場情報、途中停止場所、途中停止場所での発着時刻、停止乗り場情報、現在位置を含む情報を運行状況として各乗り物ＩＤに対応して登録管理し、
乗換案内情報データベースは、出発場所、到着場所、出発時刻または到着時刻に対して出発場所で乗るべき乗り物名、乗り物ＩＤ、出発時刻、出発乗り場情報、途中乗り換え場所、途中乗り換え時刻、途中乗り換え用乗り物名、途中乗り換え用乗り物ＩＤ、途中乗り換え用乗り物の途中乗り換え場所からの出発時刻、途中乗り換え用出発乗り場情報、到着場所への到着予定時刻を出力し得るように各乗り物の出発場所、到着場所、出発時刻、到着時刻に関する情報を乗降案内情報として登録管理すること
を特徴とする請求項８記載の乗降案内システム。
【請求項１２】
前記途中乗換え含有取得情報は、途中乗り換え場所までの乗り物名、乗り場情報、出発時刻、途中乗り換え場所までの乗り物での行き先名、途中乗り換え場所、途中乗り換え時刻、途中乗り換え用乗り物名、途中乗り換え用乗り物の途中乗り換え場所からの出発時刻、途中乗り換え用出発乗り場情報、途中乗り換え用乗り物での行き先名、行き先への到着時刻を含み、
前記途中乗換え含有登録情報は、乗客ＩＤに対応して途中乗り換え場所までの乗り物名、乗り物ＩＤ、初乗り場所名、乗り場情報、出発時刻、途中乗り換え場所までの乗り物での行き先名、途中乗り換え場所、途中乗り換え時刻、途中乗り換え用乗り物名、途中乗り換え用乗り物の途中乗り換え場所からの出発時刻、途中乗り換え用出発乗り場情報、途中乗り換え用乗り物での行き先名、行き先への到着時刻を含み、
前記途中乗り換えを含む乗降案内情報は、初乗り場所での乗り物名、乗り場情報、出発時刻、途中乗り換え場所名、途中乗り換え時刻、途中乗り換え用乗り物名、途中乗り換え場所からの出発時刻、途中乗り換え用出発乗り場情報、行き先への到着時刻を含むこと
を特徴とする請求項８記載の乗降案内システム。
【請求項１３】
携帯型通信端末を所持して乗客が乗り物に乗降する場合において乗客が所持する携帯型通信端末からセンタ装置に乗客の乗降状態を逐次伝達し、これに対してセンタ装置から携帯型通信端末を介して乗客に乗降案内を行う乗降案内プログラムであって、
センタ装置において、
各乗り物の乗り物名、現在位置を含む運行状況を各乗り物ＩＤに対応して運行状況管理データベースに登録管理し、
出発場所、到着場所、出発または到着時刻に対して出発場所で乗るべき乗り物名を含む乗降案内情報を乗降案内情報データベースに登録し、
乗客が乗り物に乗る場合に携帯型通信端末に入力される乗り場所名を携帯型通信端末から携帯型通信端末の通信回線を介して乗客ＩＤとともに受信し、
乗客が乗り物に乗る場合に携帯型通信端末に入力される行き先名を携帯型通信端末から携帯型通信端末の通信回線を介して乗客ＩＤとともに受信し、
前記受信した乗り場所名、行き先名、および当該受信時刻に基づき前記運行状況管理データベースおよび乗降案内情報データベースを検索し、乗り物名、乗り場情報、出発時刻、および到着時刻を前記データベースから取得し、乗客ＩＤに対応して乗り物名、乗り場所名、乗り場情報、出発時刻、行き先名、到着時刻を乗客データベースに登録するとともに、乗客ＩＤに基づき乗客の携帯型通信端末を呼び出し、前記乗り場所での乗り物名、乗り場情報、出発時刻、行き先名、到着時刻を乗客に通知し、
乗客が乗り物に乗り込んだ場合に携帯型通信端末に入力される乗込み乗り物名を携帯型通信端末から携帯型通信端末の通信回線を介して乗客ＩＤとともに受信し、
この受信した乗込み乗り物名が前記乗り物名に一致するか否かを前記乗客データベースに登録されている情報に基づき判定し、一致しない場合には、乗客ＩＤに基づき乗客の携帯型通信端末を呼び出し、正しい乗り物名、乗り場情報、出発時刻、行き先名を通知し、
前記判定の結果、乗客が正しい乗り物に乗り込んだ場合には、前記乗客データベースに登録された乗客の乗り物の運行状況を前記運行状況管理データベースに格納された当該乗り物の運行状況に基づき監視し、当該乗り物が行き先に接近した場合に、乗客ＩＤに基づき乗客の携帯型通信端末を呼び出し、行き先に接近した旨の通知を行い、
乗客が乗り物から降りる場合に入力される降りた情報を携帯型通信端末から携帯型通信端末の通信回線を介して乗客ＩＤとともに受信し、
この受信した降りた情報に基づき判明した降り場所が前記行き先に一致するか否かを判定し、一致しない場合には、乗客ＩＤに基づき乗客の携帯型通信端末を呼び出し、降り場所誤り通知および正しい乗降案内を行うこと
を特徴とする乗降案内プログラム。
【請求項１４】
携帯型通信端末を所持して乗客が乗り物に乗降する場合において乗客が所持する携帯型通信端末からセンタ装置に乗客の乗降状態を逐次伝達し、これに対してセンタ装置から携帯型通信端末を介して乗客に乗降案内を行う乗降案内プログラムであって、
センタ装置において、
各乗り物の乗り物名、現在位置を含む運行状況を各乗り物ＩＤに対応して運行状況管理データベースに登録管理し、
出発場所、到着場所、出発または到着時刻に対して出発場所で乗るべき乗り物名を含む乗降案内情報を乗降案内情報データベースに登録し、
乗客が乗り物に乗る場合に携帯型通信端末に入力される初乗り場所名を携帯型通信端末から携帯型通信端末の通信回線を介して乗客ＩＤとともに受信し、
乗客が乗り物に乗る場合に携帯型通信端末に入力される行き先名を携帯型通信端末から携帯型通信端末の通信回線を介して乗客ＩＤとともに受信し、
前記受信した初乗り場所名、行き先名、および当該受信時刻に基づき前記運行状況管理データベースおよび乗降案内情報データベースを検索し、途中乗り換えを含む乗り物名、乗り場情報、出発時刻、および到着時刻を途中乗換え含有取得情報として前記データベースから取得し、乗客ＩＤに対応して途中乗り換えを含む乗り物名、乗り場情報、出発時刻、行き先名、および到着時刻を途中乗換え含有登録情報として乗客データベースに登録するとともに、乗客ＩＤに基づき乗客の携帯型通信端末を呼び出し、途中乗り換えを含む乗降案内情報を乗客に通知し、
乗客が乗り物に乗り込んだ場合に携帯型通信端末に入力される乗込み乗り物名を携帯型通信端末から携帯型通信端末の通信回線を介して乗客ＩＤとともに受信し、
この受信した乗込み乗り物名が前記乗り物名に一致するか否かを前記乗客データベースに登録されている情報に基づき判定し、一致しない場合には、乗客ＩＤに基づき乗客の携帯型通信端末を呼び出し、正しい乗り物名、乗り場情報、出発時刻、行き先名を通知し、
前記判定の結果、乗客が正しい乗り物に乗込んだ場合には、前記乗客データベースに登録された乗客の乗り物の運行状況を前記運行状況管理データベースに格納された当該乗り物の運行状況に基づき監視し、当該乗り物が途中乗り換え場所に接近した場合に、乗客ＩＤに基づき乗客の携帯型通信端末を呼び出し、途中乗り換え場所に接近した旨の通知を行い、
乗客が途中乗り換え場所で乗り物から降りる場合に入力される降りた情報を携帯型通信端末から携帯型通信端末の通信回線を介して乗客ＩＤとともに受信し、
この受信した降りた情報に基づき判明した降り場所が前記途中乗り換え場所に一致するか否かを判定し、一致する場合には、乗客ＩＤに基づき乗客の携帯型通信端末を呼び出し、当該途中乗り換え場所での途中乗り換え用乗り物名、出発時刻、乗り場情報を乗客に通知し、一致しない場合には、乗客ＩＤに基づき乗客の携帯型通信端末を呼び出し、途中乗り換え場所誤り通知および正しい乗り換え案内を行い、
乗客が途中乗り換え用乗り物に乗り込んだ場合に携帯電話に入力される乗込み乗り物名を携帯型通信端末から携帯型通信端末の通信回線を介して乗客ＩＤとともに受信し、
この受信した乗込み乗り物名が前記途中乗り換え用乗り物名に一致するか否かを前記乗客データベースに登録されている情報に基づき判定し、一致しない場合には、乗客ＩＤに基づき乗客の携帯型通信端末を呼び出し、正しい途中乗り換え用乗り物名、乗り場情報、出発時刻、行き先名を通知し、
前記判定の結果、乗客が正しい途中乗り換え用乗り物に乗り込んだ場合には、前記乗客データベースに登録された乗客の途中乗り換え用乗り物の運行状況を前記運行状況管理データベースに格納された当該乗り物の運行状況に基づき監視し、当該乗り物が行き先に接近した場合に、乗客ＩＤに基づき乗客の携帯型通信端末を呼び出し、行き先に接近した旨の通知を行い、
乗客が乗り物から降りる場合に入力される降りた情報を携帯型通信端末から携帯型通信端末の通信回線を介して乗客ＩＤとともに受信し、
この受信した降りた情報に基づき判明した降り場所が前記行き先に一致するか否かを判定し、一致しない場合には、乗客ＩＤに基づき乗客の携帯型通信端末を呼び出し、降り場所誤り通知および正しい乗降案内を行うこと
を特徴とする乗降案内プログラム。
【請求項１５】
前記乗客が乗り物に乗る場合に携帯型通信端末に入力される乗り場所名を携帯型通信端末から乗客ＩＤとともに受信する処理は、当該乗り場所に設けられている乗り場所名用データ送信装置から無線データとして送信される乗り場所名を携帯型通信端末で受信し、この受信した乗り場所名を携帯型通信端末からセンタ装置に送信するようになっており、
前記乗客が乗り物に乗る場合に携帯型通信端末に入力される行き先名を携帯型通信端末から乗客ＩＤとともに受信する処理は、当該乗り場所に設けられている行き先名用データ送信装置から無線データとして送信される行き先名を携帯型通信端末で受信し、この受信した行き先名を携帯型通信端末からセンタ装置に送信するようになっており、
前記乗客が乗り物に乗り込んだ場合に携帯型通信端末に入力される乗込み乗り物名を携帯型通信端末から乗客ＩＤとともに受信する処理は、当該乗り物に設けられている乗込み乗り物名用データ送信装置から無線データとして送信される乗込み乗り物名を携帯型通信端末で受信し、この受信した乗込み乗り物名を携帯型通信端末からセンタ装置に送信するようになっており、
前記乗客が乗り物から降りる場合に入力される降りた情報を携帯型通信端末から乗客ＩＤとともに受信する処理は、当該降り場所に設けられている降り場所名用データ送信装置から無線データとして送信される降り場所名を携帯型通信端末で受信し、この受信した降りた情報に基づき判明した降り場所名を携帯型通信端末からセンタ装置に送信するようになっており、
前記携帯型通信端末は、データ送信装置から送信される無線データを受信し、この受信したデータを携帯型通信端末の通信回線を介してセンタ装置に送信するようになっていること
を特徴とする請求項１３または１４記載の乗降案内プログラム。
【請求項１６】
携帯型通信端末を所持して乗客が乗り物に乗降する場合において乗客が所持する携帯型通信端末からセンタ装置に乗客の乗降状態を逐次伝達し、これに対してセンタ装置から携帯型通信端末を介して乗客に乗降案内を行う乗降案内プログラムを記録した記録媒体であって、
センタ装置において、
各乗り物の乗り物名、現在位置を含む運行状況を各乗り物ＩＤに対応して運行状況管理データベースに登録管理し、
出発場所、到着場所、出発または到着時刻に対して出発場所で乗るべき乗り物名を含む乗降案内情報を乗降案内情報データベースに登録し、
乗客が乗り物に乗る場合に携帯型通信端末に入力される乗り場所名を携帯型通信端末から携帯型通信端末の通信回線を介して乗客ＩＤとともに受信し、
乗客が乗り物に乗る場合に携帯型通信端末に入力される行き先名を携帯型通信端末から携帯型通信端末の通信回線を介して乗客ＩＤとともに受信し、
前記受信した乗り場所名、行き先名、および当該受信時刻に基づき前記運行状況管理データベースおよび乗降案内情報データベースを検索し、乗り物名、乗り場情報、出発時刻、および到着時刻を前記データベースから取得し、乗客ＩＤに対応して乗り物名、乗り場所名、乗り場情報、出発時刻、行き先名、到着時刻を乗客データベースに登録するとともに、乗客ＩＤに基づき乗客の携帯型通信端末を呼び出し、前記乗り場所での乗り物名、乗り場情報、出発時刻、行き先名、到着時刻を乗客に通知し、
乗客が乗り物に乗り込んだ場合に携帯型通信端末に入力される乗込み乗り物名を携帯型通信端末から携帯型通信端末の通信回線を介して乗客ＩＤとともに受信し、
この受信した乗込み乗り物名が前記乗り物名に一致するか否かを前記乗客データベースに登録されている情報に基づき判定し、一致しない場合には、乗客ＩＤに基づき乗客の携帯型通信端末を呼び出し、正しい乗り物名、乗り場情報、出発時刻、行き先名を通知し、
前記判定の結果、乗客が正しい乗り物に乗り込んだ場合には、前記乗客データベースに登録された乗客の乗り物の運行状況を前記運行状況管理データベースに格納された当該乗り物の運行状況に基づき監視し、当該乗り物が行き先に接近した場合に、乗客ＩＤに基づき乗客の携帯型通信端末を呼び出し、行き先に接近した旨の通知を行い、
乗客が乗り物から降りる場合に入力される降りた情報を携帯型通信端末から携帯型通信端末の通信回線を介して乗客ＩＤとともに受信し、
この受信した降りた情報に基づき判明した降り場所が前記行き先に一致するか否かを判定し、一致しない場合には、乗客ＩＤに基づき乗客の携帯型通信端末を呼び出し、降り場所誤り通知および正しい乗降案内を行うこと
を特徴とする乗降案内プログラムを記録した記録媒体。
【請求項１７】
携帯型通信端末を所持して乗客が乗り物に乗降する場合において乗客が所持する携帯型通信端末からセンタ装置に乗客の乗降状態を逐次伝達し、これに対してセンタ装置から携帯型通信端末を介して乗客に乗降案内を行う乗降案内プログラムを記録した記録媒体であって、
センタ装置において、
各乗り物の乗り物名、現在位置を含む運行状況を各乗り物ＩＤに対応して運行状況管理データベースに登録管理し、
出発場所、到着場所、出発または到着時刻に対して出発場所で乗るべき乗り物名を含む乗降案内情報を乗降案内情報データベースに登録し、
乗客が乗り物に乗る場合に携帯型通信端末に入力される初乗り場所名を携帯型通信端末から携帯型通信端末の通信回線を介して乗客ＩＤとともに受信し、
乗客が乗り物に乗る場合に携帯型通信端末に入力される行き先名を携帯型通信端末から携帯型通信端末の通信回線を介して乗客ＩＤとともに受信し、
前記受信した初乗り場所名、行き先名、および当該受信時刻に基づき前記運行状況管理データベースおよび乗降案内情報データベースを検索し、途中乗り換えを含む乗り物名、乗り場情報、出発時刻、および到着時刻を途中乗換え含有取得情報として前記データベースから取得し、乗客ＩＤに対応して途中乗り換えを含む乗り物名、乗り場情報、出発時刻、行き先名、および到着時刻を途中乗換え含有登録情報として乗客データベースに登録するとともに、乗客ＩＤに基づき乗客の携帯型通信端末を呼び出し、途中乗り換えを含む乗降案内情報を乗客に通知し、
乗客が乗り物に乗り込んだ場合に携帯型通信端末に入力される乗込み乗り物名を携帯型通信端末から携帯型通信端末の通信回線を介して乗客ＩＤとともに受信し、
この受信した乗込み乗り物名が前記乗り物名に一致するか否かを前記乗客データベースに登録されている情報に基づき判定し、一致しない場合には、乗客ＩＤに基づき乗客の携帯型通信端末を呼び出し、正しい乗り物名、乗り場情報、出発時刻、行き先名を通知し、
前記判定の結果、乗客が正しい乗り物に乗込んだ場合には、前記乗客データベースに登録された乗客の乗り物の運行状況を前記運行状況管理データベースに格納された当該乗り物の運行状況に基づき監視し、当該乗り物が途中乗り換え場所に接近した場合に、乗客ＩＤに基づき乗客の携帯型通信端末を呼び出し、途中乗り換え場所に接近した旨の通知を行い、
乗客が途中乗り換え場所で乗り物から降りる場合に入力される降りた情報を携帯型通信端末から携帯型通信端末の通信回線を介して乗客ＩＤとともに受信し、
この受信した降りた情報に基づき判明した降り場所が前記途中乗り換え場所に一致するか否かを判定し、一致する場合には、乗客ＩＤに基づき乗客の携帯型通信端末を呼び出し、当該途中乗り換え場所での途中乗り換え用乗り物名、出発時刻、乗り場情報を乗客に通知し、一致しない場合には、乗客ＩＤに基づき乗客の携帯型通信端末を呼び出し、途中乗り換え場所誤り通知および正しい乗り換え案内を行い、
乗客が途中乗り換え用乗り物に乗り込んだ場合に携帯電話に入力される乗込み乗り物名を携帯型通信端末から携帯型通信端末の通信回線を介して乗客ＩＤとともに受信し、
この受信した乗込み乗り物名が前記途中乗り換え用乗り物名に一致するか否かを前記乗客データベースに登録されている情報に基づき判定し、一致しない場合には、乗客ＩＤに基づき乗客の携帯型通信端末を呼び出し、正しい途中乗り換え用乗り物名、乗り場情報、出発時刻、行き先名を通知し、
前記判定の結果、乗客が正しい途中乗り換え用乗り物に乗り込んだ場合には、前記乗客データベースに登録された乗客の途中乗り換え用乗り物の運行状況を前記運行状況管理データベースに格納された当該乗り物の運行状況に基づき監視し、当該乗り物が行き先に接近した場合に、乗客ＩＤに基づき乗客の携帯型通信端末を呼び出し、行き先に接近した旨の通知を行い、
乗客が乗り物から降りる場合に入力される降りた情報を携帯型通信端末から携帯型通信端末の通信回線を介して乗客ＩＤとともに受信し、
この受信した降りた情報に基づき判明した降り場所が前記行き先に一致するか否かを判定し、一致しない場合には、乗客ＩＤに基づき乗客の携帯型通信端末を呼び出し、降り場所誤り通知および正しい乗降案内を行うこと
を特徴とする乗降案内プログラムを記録した記録媒体。
【請求項１８】
前記乗客が乗り物に乗る場合に携帯型通信端末に入力される乗り場所名を携帯型通信端末から乗客ＩＤとともに受信する処理は、当該乗り場所に設けられている乗り場所名用データ送信装置から無線データとして送信される乗り場所名を携帯型通信端末で受信し、この受信した乗り場所名を携帯型通信端末からセンタ装置に送信するようになっており、
前記乗客が乗り物に乗る場合に携帯型通信端末に入力される行き先名を携帯型通信端末から乗客ＩＤとともに受信する処理は、当該乗り場所に設けられている行き先名用データ送信装置から無線データとして送信される行き先名を携帯型通信端末で受信し、この受信した行き先名を携帯型通信端末からセンタ装置に送信するようになっており、
前記乗客が乗り物に乗り込んだ場合に携帯型通信端末に入力される乗込み乗り物名を携帯型通信端末から乗客ＩＤとともに受信する処理は、当該乗り物に設けられている乗込み乗り物名用データ送信装置から無線データとして送信される乗込み乗り物名を携帯型通信端末で受信し、この受信した乗込み乗り物名を携帯型通信端末からセンタ装置に送信するようになっており、
前記乗客が乗り物から降りる場合に入力される降り場所名を携帯型通信端末から乗客ＩＤとともに受信する処理は、当該降り場所に設けられている降りた情報用データ送信装置から無線データとして送信される降り場所名を携帯型通信端末で受信し、この受信した降りた情報に基づき判明した降り場所名を携帯型通信端末からセンタ装置に送信するようになっており、
前記携帯型通信端末は、データ送信装置から送信される無線データを受信し、この受信したデータを携帯型通信端末の通信回線を介してセンタ装置に送信するようになっていること
を特徴とする請求項１６または１７記載の乗降案内プログラムを記録した記録媒体。
【発明の詳細な説明】
【０００１】
【発明の属する技術分野】
本発明は、例えば携帯電話やＰＨＳなどの携帯型通信端末を所持して乗客が電車や列車などの乗り物に乗降する場合において乗客が所持する携帯型通信端末からセンタ装置に逐次乗客の乗降状態を伝達し、これに対してセンタ装置から携帯型通信端末を介して乗客に乗降案内を行う乗降案内方法およびシステムに関し、更に詳しくは、携帯型通信端末としてデータ送信装置から送信される無線データを受信し得る携帯型通信端末を使用し、乗り場や乗り物に関する所にデータ送信装置を設置し、このデータ送信装置からのデータを携帯型通信端末で受信し、乗客の乗降状態としてセンタ装置に送信し、これに対してセンタ装置から携帯型通信端末を介して乗客に乗降案内を行う乗降案内方法およびシステムと乗降案内プログラムおよび該プログラムを記録した記録媒体に関する。
【０００２】
【従来の技術】
ある場所に行くために、電車に乗ろうとして、駅に行っても、駅には複数の路線の電車が走っているため、目的の場所に行くために、どの路線の電車に乗ったらよいか直ぐにはわからない場合が多々ある。特に、毎日通勤などで乗って馴れている路線の場合には問題もなく、スムーズに乗ることができるが、たまに不慣れな場所に行ったり、不慣れな駅で電車に乗る場合には、どの路線にどのホームから乗ったらよいか不明であり、間違ったホームから誤った路線に乗ってしまって、誤った場所に行ってしまうこともある。
【０００３】
また、目的の場所に行く電車に首尾良く乗ったとしても、目的の駅にいつ到着するのか絶えず気にしながら乗っている状態であり、場合によっては目的の駅を乗り過ごしてしまうこともある。
【０００４】
更に、途中で電車を乗り換えなければならないような場合には、どこで乗り換えればよいのか、乗換駅を予め調べ、電車の中のアナウンスに注意深くして乗り過ごさないようにすることが必要である。そして、乗換電車に乗るためには、乗換電車が到着するホームを案内板やアナウンスで確認して、そのホームに行く必要がある。よく注意したり、確認しない場合には、乗り過ごしたり、乗換電車に乗り遅れてしまうことがある。
【０００５】
【発明が解決しようとする課題】
上述したように、電車などの比較的複雑な乗り物に乗って、目的の場所に行くためには、どのホームでどの路線の電車に乗ったらよいか、どの駅で降りたらよいか、その駅にはいつ到着するのか、どこで乗り換えたらよいか等のような種々の問題があり、特に不慣れな場所に行ったり、不慣れな駅で乗る場合には、このような問題は深刻であり、このような問題を解消し得る乗降案内システムの出現が要望されている。
【０００６】
本発明は、上記に鑑みてなされたもので、その目的とするところは、携帯型通信端末を利用することによりセンタ装置から乗客に乗降案内を携帯型通信端末で適確に通知し、乗り物への円滑かつ間違いない乗降を案内する乗降案内方法およびシステムと乗降案内プログラムおよび該プログラムを記録した記録媒体を提供することにある。
【０００７】
【課題を解決するための手段】
上記目的を達成するため、請求項１記載の本発明は、携帯型通信端末を所持して乗客が乗り物に乗降する場合において乗客が所持する携帯型通信端末からセンタ装置に乗客の乗降状態を逐次伝達し、これに対してセンタ装置から携帯型通信端末を介して乗客に乗降案内を行う乗降案内方法であって、センタ装置は、各乗り物の乗り物名、現在位置を含む運行状況を各乗り物ＩＤに対応して運行状況管理データベースに登録管理し、出発場所、到着場所、出発または到着時刻に対して出発場所で乗るべき乗り物名を含む乗降案内情報を乗降案内情報データベースに登録し、乗客が乗り物に乗る場合に携帯型通信端末に入力される乗り場所名を携帯型通信端末から携帯型通信端末の通信回線を介して乗客ＩＤとともに受信し、乗客が乗り物に乗る場合に携帯型通信端末に入力される行き先名を携帯型通信端末から携帯型通信端末の通信回線を介して乗客ＩＤとともに受信し、前記受信した乗り場所名、行き先名、および当該受信時刻に基づき前記運行状況管理データベースおよび乗降案内情報データベースを検索し、乗り物名、乗り場情報、出発時刻、および到着時刻を前記データベースから取得し、乗客ＩＤに対応して乗り物名、乗り場所名、乗り場情報、出発時刻、行き先名、到着時刻を乗客データベースに登録するとともに、乗客ＩＤに基づき乗客の携帯型通信端末を呼び出し、前記乗り場所での乗り物名、乗り場情報、出発時刻、行き先名、到着時刻を乗客に通知し、乗客が乗り物に乗り込んだ場合に携帯型通信端末に入力される乗込み乗り物名を携帯型通信端末から携帯型通信端末の通信回線を介して乗客ＩＤとともに受信し、この受信した乗込み乗り物名が前記乗り物名に一致するか否かを前記乗客データベースに登録されている情報に基づき判定し、一致しない場合には、乗客ＩＤに基づき乗客の携帯型通信端末を呼び出し、正しい乗り物名、乗り場情報、出発時刻、行き先名を通知し、前記判定の結果、乗客が正しい乗り物に乗り込んだ場合には、前記乗客データベースに登録された乗客の乗り物の運行状況を前記運行状況管理データベースに格納された当該乗り物の運行状況に基づき監視し、当該乗り物が行き先に接近した場合に、乗客ＩＤに基づき乗客の携帯型通信端末を呼び出し、行き先に接近した旨の通知を行い、乗客が乗り物から降りる場合に入力される降りた情報を携帯型通信端末から携帯型通信端末の通信回線を介して乗客ＩＤとともに受信し、この受信した降りた情報に基づき判明した降り場所が前記行き先に一致するか否かを判定し、一致しない場合には、乗客ＩＤに基づき乗客の携帯型通信端末を呼び出し、降り場所誤り通知および正しい乗降案内を行うことを要旨とする。
【０００８】
請求項１記載の本発明にあっては、センタ装置は乗客の携帯端末から乗り場所名、行き先名を受信し、これらの情報に基づきデータベースから乗り物名、乗り場情報、出発時刻、到着時刻を取得し、乗客データベースに登録するとともに、乗客の携帯端末を呼び出し、乗り物名、乗り場情報、出発時刻、行き先名、到着時刻などの案内を乗客に行い、乗客が乗り物に乗り込むと、乗り物名を携帯端末から受信し、この乗り物が正しいか否かを判定し、正しくない場合には、携帯端末で正しい乗り物案内を行い、正しい乗り物に乗り込むと、その運行状況を監視し、行き先に接近すると、携帯端末で行き先接近案内を行い、乗客が乗り物から降りると、降りた情報（例えば降りた場所、時刻、乗り物）を携帯端末から受信し、この降り場所が正しいか判定し、正しくない場合には、携帯端末で降り場所誤り通知および正しい乗降案内を行うため、乗客は例えば不慣れな駅で列車に乗る場合や不慣れな場所に列車で行くような場合でも、行き先名の設定さえ間違えなければセンタ装置からの案内により正しい乗り場で正しい乗り物に乗って、所望の正しい行き先に迷うことなく正確かつ簡単に行くことができ、この場合に行き先の駅などにいつ到着するのかなどを気にしたり、また乗り過ごすこともない。
【０００９】
また、請求項２記載の本発明は、携帯型通信端末を所持して乗客が乗り物に乗降する場合において乗客が所持する携帯型通信端末からセンタ装置に乗客の乗降状態を逐次伝達し、これに対してセンタ装置から携帯型通信端末を介して乗客に乗降案内を行う乗降案内方法であって、センタ装置は、各乗り物の乗り物名、現在位置を含む運行状況を各乗り物ＩＤに対応して運行状況管理データベースに登録管理し、出発場所、到着場所、出発または到着時刻に対して出発場所で乗るべき乗り物名を含む乗降案内情報を乗降案内情報データベースに登録し、乗客が乗り物に乗る場合に携帯型通信端末に入力される初乗り場所名を携帯型通信端末から携帯型通信端末の通信回線を介して乗客ＩＤとともに受信し、乗客が乗り物に乗る場合に携帯型通信端末に入力される行き先名を携帯型通信端末から携帯型通信端末の通信回線を介して乗客ＩＤとともに受信し、前記受信した初乗り場所名、行き先名、および当該受信時刻に基づき前記運行状況管理データベースおよび乗降案内情報データベースを検索し、途中乗り換えを含む乗り物名、乗り場情報、出発時刻、および到着時刻を途中乗換え含有取得情報として前記データベースから取得し、乗客ＩＤに対応して途中乗り換えを含む乗り物名、乗り場情報、出発時刻、行き先名、および到着時刻を途中乗換え含有登録情報として乗客データベースに登録するとともに、乗客ＩＤに基づき乗客の携帯型通信端末を呼び出し、途中乗り換えを含む乗降案内情報を乗客に通知し、乗客が乗り物に乗り込んだ場合に携帯型通信端末に入力される乗込み乗り物名を携帯型通信端末から携帯型通信端末の通信回線を介して乗客ＩＤとともに受信し、この受信した乗込み乗り物名が前記乗り物名に一致するか否かを前記乗客データベースに登録されている情報に基づき判定し、一致しない場合には、乗客ＩＤに基づき乗客の携帯型通信端末を呼び出し、正しい乗り物名、乗り場情報、出発時刻、行き先名を通知し、前記判定の結果、乗客が正しい乗り物に乗込んだ場合には、前記乗客データベースに登録された乗客の乗り物の運行状況を前記運行状況管理データベースに格納された当該乗り物の運行状況に基づき監視し、当該乗り物が途中乗り換え場所に接近した場合に、乗客ＩＤに基づき乗客の携帯型通信端末を呼び出し、途中乗り換え場所に接近した旨の通知を行い、乗客が途中乗り換え場所で乗り物から降りる場合に入力される降りた情報を携帯型通信端末から携帯型通信端末の通信回線を介して乗客ＩＤとともに受信し、この受信した降りた情報に基づき判明した降  り場所が前記途中乗り換え場所に一致するか否かを判定し、一致する場合には、乗客ＩＤに基づき乗客の携帯型通信端末を呼び出し、当該途中乗り換え場所での途中乗り換え用乗り物名、出発時刻、乗り場情報を乗客に通知し、一致しない場合には、乗客ＩＤに基づき乗客の携帯型通信端末を呼び出し、途中乗り換え場所誤り通知および正しい乗り換え案内を行い、乗客が途中乗り換え用乗り物に乗り込んだ場合に携帯電話に入力される乗込み乗り物名を携帯型通信端末から携帯型通信端末の通信回線を介して乗客ＩＤとともに受信し、この受信した乗込み乗り物名が前記途中乗り換え用乗り物名に一致するか否かを前記乗客データベ���スに登録されている情報に基づき判定し、一致しない場合には、乗客ＩＤに基づき乗客の携帯型通信端末を呼び出し、正しい途中乗り換え用乗り物名、乗り場情報、出発時刻、行き先名を通知し、前記判定の結果、乗客が正しい途中乗り換え用乗り物に乗り込んだ場合には、前記乗客データベースに登録された乗客の途中乗り換え用乗り物の運行状況を前記運行状況管理データベースに格納された当該乗り物の運行状況に基づき監視し、当該乗り物が行き先に接近した場合に、乗客ＩＤに基づき乗客の携帯型通信端末を呼び出し、行き先に接近した旨の通知を行い、乗客が乗り物から降りる場合に入力される降りた情報を携帯型通信端末から携帯型通信端末の通信回線を介して乗客ＩＤとともに受信し、この受信した降りた情報に基づき判明した降り場所が前記行き先に一致するか否かを判定し、一致しない場合には、乗客ＩＤに基づき乗客の携帯型通信端末を呼び出し、降り場所誤り通知および正しい乗降案内を行うことを要旨とする。
【００１０】
請求項２記載の本発明にあっては、センタ装置は乗客の携帯端末から乗り場所名、行き先名を受信し、これらの情報に基づきデータベースから途中乗り換えを含む乗り物名、乗り場情報、出発時刻、到着時刻を取得し、乗客データベースに登録するとともに、乗客の携帯端末を呼び出し、途中乗り換えを含む乗降案内を乗客に行い、乗客が乗り物に乗り込むと、乗り物名を携帯端末から受信し、この乗り物が正しいか否か判定し、正しくない場合には、携帯端末で正しい乗り物案内を行い、正しい乗り物に乗り込むと、その運行状況を監視し、乗り物が途中乗換場所に接近すると、携帯端末で途中乗換場所接近案内を行い、乗客が途中乗換場所で乗り物から降りると、降りた情報を携帯端末から受信し、この途中乗換場所が正しいか判定し、正しくない場合には、携帯端末で途中乗換場所誤り通知および正しい乗降案内を行い、途中乗換用乗り物に乗り込むと、乗り物名を携帯端末から受信し、この乗り物が正しいか否か判定し、正しくない場合には、携帯端末で正しい乗り物案内を行い、正しい乗り物に乗り込むと、その運行状況を監視し、行き先に接近すると、携帯端末で行き先接近案内を行い、乗客が乗り物から降りると、降り場所名を携帯端末から受信し、この降り場所が正しいか判定し、正しくない場合には、携帯端末で降り場所誤り通知および正しい乗降案内を行うため、乗客は例えば不慣れな駅で列車に乗る場合や不慣れな場所に列車で行くような場合であって、途中の乗り換えを行うような複雑な場合でも、行き先名の設定さえ間違えなければセンタ装置からの案内により途中の乗り換えを正確に行いながら、正しい乗り場で正しい乗り物に乗って、所望の正しい行き先に迷うことなく正確かつ簡単に行くことができ、この場合に途中の乗り換え駅や行き先の駅などにいつ到着するのかなどを気にしたり、また乗り過ごすこともない。
【００１１】
更に、請求項３記載の本発明は、請求項１または２記載の発明において、前記乗客が乗り物に乗る場合に携帯型通信端末に入力される乗り場所名を携帯型通信端末から乗客ＩＤとともに受信する処理は、当該乗り場所に設けられている乗り場所名用データ送信装置から無線データとして送信される乗り場所名を携帯型通信端末で受信し、この受信した乗り場所名を携帯型通信端末からセンタ装置に送信するようになっており、前記乗客が乗り物に乗る場合に携帯型通信端末に入力される行き先名を携帯型通信端末から乗客ＩＤとともに受信する処理は、当該乗り場所に設けられている行き先名用データ送信装置から無線データとして送信される行き先名を携帯型通信端末で受信し、この受信した行き先名を携帯型通信端末からセンタ装置に送信するようになっており、前記乗客が乗り物に乗り込んだ場合に携帯型通信端末に入力される乗込み乗り物名を携帯型通信端末から乗客ＩＤとともに受信する処理は、当該乗り物に設けられている乗込み乗り物名用データ送信装置から無線データとして送信される乗込み乗り物名を携帯型通信端末で受信し、この受信した乗込み乗り物名を携帯型通信端末からセンタ装置に送信するようになっており、前記乗客が乗り物から降りる場合に入力される降り場所名を携帯型通信端末から乗客ＩＤとともに受信する処理は、当該降り場所に設けられている降り場所名用データ送信装置から無線データとして送信される降り場所名を携帯型通信端末で受信し、この受信した降り場所名を携帯型通信端末からセンタ装置に送信するようになっており、前記携帯型通信端末は、データ送信装置から送信される無線データを受信し、この受信したデータを携帯型通信端末の通信回線を介してセンタ装置に送信するようになっていることを要旨とする。
【００１２】
請求項３記載の本発明にあっては、乗客が乗り物に乗降する場合の乗り場所名、行き先名、乗込み乗り物名、降り場所名の情報は、すべてデータ送信装置から送信される無線データを携帯型通信端末で受信し、センタ装置に送信するため、乗客は単にデータ送信装置のそばを通過するかまたは携帯型通信端末をデータ送信装置にかざすなどの操作により乗り場所名、行き先名、乗込み乗り物名、降り場所名の情報はすべて自動的かつ正確にセンタ装置に送信され、乗客は例えばボタン操作などの煩わしく間違い易い操作が不要となり、操作性の向上および効率化を図ることができる。
【００１３】
請求項４記載の本発明は、請求項１記載の発明において、前記運行状況管理データベースは、各乗り物の乗り物名、始発場所、始発時刻、始発乗り場情報、到着場所、到着時刻、到着乗り場情報、途中停止場所、途中停止場所での発着時刻、停止乗り物情報、現在位置を含む情報を運行状況として各乗り物ＩＤに対応して登録管理し、前記乗換案内情報データベースは、出発場所、到着場所、出発または到着時刻に対して出発場所で乗るべき乗り物名、乗り物ＩＤ、出発時刻、出発乗り場情報、到着場所への到着予定時刻を出力し得るように各乗り物の出発場所、到着場所、出発時刻、到着時刻に関する情報を乗降案内情報として登録することを要旨とする。
【００１４】
請求項４記載の本発明にあっては、運行状況管理データベースは、各乗り物の乗り物名、始発場所、始発時刻、始発乗り場情報、到着場所、到着時刻、到着乗り場情報、途中停止場所、途中停止場所での発着時刻、停止乗り場情報、現在位置を含む情報を運行状況として各乗り物ＩＤに対応して登録管理し、前記乗換案内情報データベースは、出発場所、到着場所、出発または到着時刻に対して出発場所で乗るべき乗り物名、乗り物ＩＤ、出発時刻、出発乗り場情報、到着場所への到着予定時刻を出力し得るように各乗り物の出発場所、到着場所、出発時刻、到着時刻に関する情報を乗降案内情報として登録する。
【００１５】
また、請求項５記載の本発明は、請求項２記載の発明において、前記運行状況管理データベースは、各乗り物の乗り物名、始発場所、始発時刻、始発乗り場情報、到着場所、到着時刻、到着乗り場情報、途中停止場所、途中停止場所での発着時刻、停止乗り場情報、現在位置を含む情報を運行状況として各乗り物ＩＤに対応して登録管理し、乗換案内情報データベースは、出発場所、到着場所、出発時刻または到着時刻に対して出発場所で乗るべき乗り物名、乗り物ＩＤ、出発時刻、出発乗り場情報、途中乗り換え場所、途中乗り換え時刻、途中乗り換え用乗り物名、途中乗り換え用乗り物ＩＤ、途中乗り換え用乗り物の途中乗り換え場所からの出発時刻、途中乗り換え用出発乗り場情報、到着場所への到着予定時刻を出力し得るように各乗り物の出発場所、到着場所、出発時刻、到着時刻に関する情報を乗降案内情報として登録管理することを要旨とする。
【００１６】
請求項５記載の本発明にあっては、運行状況管理データベースは、各乗り物の乗り物名、始発場所、始発時刻、始発乗り場情報、到着場所、到着時刻、到着乗り場情報、途中停止場所、途中停止場所での発着時刻、停止乗り場情報、現在位置を含む情報を運行状況として各乗り物ＩＤに対応して登録管理し、乗換案内情報データベースは、出発場所、到着場所、出発時刻または到着時刻に対して出発場所で乗るべき乗り物名、乗り物ＩＤ、出発時刻、出発乗り場情報、途中乗り換え場所、途中乗り換え時刻、途中乗り換え用乗り物名、途中乗り換え用乗り物ＩＤ、途中乗り換え用乗り物の途中乗り換え場所からの出発時刻、途中乗り換え用出発乗り場情報、到着場所への到着予定時刻を出力し得るように各乗り物の出発場所、到着場所、出発時刻、到着時刻に関する情報を乗降案内情報として登録管理する。
【００１７】
更に、請求項６記載の本発明は、請求項２記載の発明において、前記途中乗換え含有取得情報は、途中乗り換え場所までの乗り物名、乗り場情報、出発時刻、途中乗り換え場所までの乗り物での行き先名、途中乗り換え場所、途中乗り換え時刻、途中乗り換え用乗り物名、途中乗り換え用乗り物の途中乗り換え場所からの出発時刻、途中乗り換え用出発乗り場情報、途中乗り換え用乗り物での行き先名、行き先への到着時刻を含み、前記途中乗換え含有登録情報は、乗客ＩＤに対応して途中乗り換え場所までの乗り物名、乗り物ＩＤ、初乗り場所名、乗り場情報、出発時刻、途中乗り換え場所までの乗り物での行き先名、途中乗り換え場所、途中乗り換え時刻、途中乗り換え用乗り物名、途中乗り換え用乗り物の途中乗り換え場所からの出発時刻、途中乗り換え用出発乗り場情報、途中乗り換え用乗り物での行き先名、行き先への到着時刻を含み、前記途中乗り換えを含む乗降案内情報は、初乗り場所での乗り物名、乗り場情報、出発時刻、途中乗り換え場所名、途中乗り換え時刻、途中乗り換え用乗り物名、途中乗り換え場所からの出発時刻、途中乗り換え用出発乗り場情報、行き先への到着時刻を含むことを要旨とする。
【００１８】
請求項６記載の本発明にあっては、途中乗換え含有取得情報は、途中乗り換え場所までの乗り物名、乗り場情報、出発時刻、途中乗り換え場所までの乗り物での行き先名、途中乗り換え場所、途中乗り換え時刻、途中乗り換え用乗り物名、途中乗り換え用乗り物の途中乗り換え場所からの出発時刻、途中乗り換え用出発乗り場情報、途中乗り換え用乗り物での行き先名、行き先への到着時刻を含み、途中乗換え含有登録情報は、乗客ＩＤに対応して途中乗り換え場所までの乗り物名、乗り物ＩＤ、初乗り場所名、乗り場情報、出発時刻、途中乗り換え場所までの乗り物での行き先名、途中乗り換え場所、途中乗り換え時刻、途中乗り換え用乗り物名、途中乗り換え用乗り物の途中乗り換え場所からの出発時刻、途中乗り換え用出発乗り場情報、途中乗り換え用乗り物での行き先名、行き先への到着時刻を含み、途中乗り換えを含む乗降案内情報は、初乗り場所での乗り物名、乗り場情報、出発時刻、途中乗り換え場所名、途中乗り換え時刻、途中乗り換え用乗り物名、途中乗り換え場所からの出発時刻、途中乗り換え用出発乗り場情報、行き先への到着時刻を含む。
【００１９】
請求項７記載の本発明は、携帯型通信端末を所持して乗客が乗り物に乗降する場合において乗客が所持する携帯型通信端末からセンタ装置に乗客の乗降状態を逐次伝達し、これに対してセンタ装置から携帯型通信端末を介して乗客に乗降案内を行う乗降案内システムであって、センタ装置は、各乗り物の乗り物名、現在位置を含む運行状況を各乗り物ＩＤに対応して登録管理する運行状況管理データベースと、出発場所、到着場所、出発または到着時刻に対して出発場所で乗るべき乗り物名を含む乗降案内情報を登録する乗降案内情報データベースと、乗客が乗り物に乗る場合に携帯型通信端末に入力される乗り場所名を携帯型通信端末から携帯型通信端末の通信回線を介して乗客ＩＤとともに受信する乗り場所名受信手段と、乗客が乗り物に乗る場合に携帯型通信端末に入力される行き先名を携帯型通信端末から携帯型通信端末の通信回線を介して乗客ＩＤとともに受信する行き先名受信手段と、前記受信した乗り場所名、行き先名、および当該受信時刻に基づき前記運行状況管理データベースおよび乗降案内情報データベースを検索し、乗り物名、乗り場情報、出発時刻、および到着時刻を前記データベースから取得する検索手段と、前記検索で取得した情報に基づき乗客ＩＤに対応して乗り物名、乗り場所名、乗り場情報、出発時刻、行き先名、到着時刻を登録する乗客データベースと、乗客ＩＤに基づき乗客の携帯型通信端末を呼び出し、前記検索で取得した情報に基づく前記乗り場所での乗り物名、乗り場情報、出発時刻、行き先名、到着時刻を乗客に通知する乗り物名等通知手段と、乗客が乗り物に乗り込んだ場合に携帯型通信端末に入力される乗込み乗り物名を携帯型通信端末から携帯型通信端末の通信回線を介して乗客ＩＤとともに受信する乗込み乗り物名受信手段と、この受信した乗込み乗り物名が前記乗り物名に一致するか否かを前記乗客データベースに登録されている情報に基づき判定し、一致しない場合には、乗客ＩＤに基づき乗客の携帯型通信端末を呼び出し、正しい乗り物名、乗り場情報、出発時刻、行き先名を通知する乗り物誤り時正解乗り物名等通知手段と、前記判定の結果、乗客が正しい乗り物に乗り込んだ場合には、前記乗客データベースに登録された乗客の乗り物の運行状況を前記運行状況管理データベースに格納された当該乗り物の運行状況に基づき監視し、当該乗り物が行き先に接近した場合に、乗客ＩＤに基づき乗客の携帯型通信端末を呼び出し、行き先に接近した旨の通知を行う行き先接近通知手段と、乗客が乗り物から降りる場合に入力される降りた情報を携帯型通信端末から携帯型通信端末の通信回線を介して乗客ＩＤとともに受信する降りた情報受信手段と、この受信した降りた情報に基づき判明した降り場所が前記行き先に一致するか否かを判定し、一致しない場合には、乗客ＩＤに基づき乗客の携帯型通信端末を呼び出し、降り場所誤り通知および正しい乗降案内を行う降り場所誤り通知手段とを有することを要旨とする。
【００２０】
請求項７記載の本発明にあっては、センタ装置は乗客の携帯端末から乗り場所名、行き先名を受信し、これらの情報に基づきデータベースから乗り物名、乗り場情報、出発時刻、到着時刻を取得し、乗客データベースに登録するとともに、乗客の携帯端末を呼び出し、乗り物名、乗り場情報、出発時刻、行き先名、到着時刻などの案内を乗客に行い、乗客が乗り物に乗り込むと、乗り物名を携帯端末から受信し、この乗り物が正しいか否か判定し、正しくない場合には、携帯端末で正しい乗り物案内を行い、正しい乗り物に乗り込むと、その運行状況を監視し、行き先に接近すると、携帯端末で行き先接近案内を行い、乗客が乗り物から降りると、降りた情報を携帯端末から受信し、この降り場所が正しいか判定し、正しくない場合には、携帯端末で降り場所誤り通知および正しい乗降案内を行うため、乗客は例えば不慣れな駅で列車に乗る場合や不慣れな場所に列車で行くような場合でも、行き先名の設定さえ間違えなければセンタ装置からの案内により正しい乗り場で正しい乗り物に乗って、所望の正しい行き先に迷うことなく正確かつ簡単に行くことができ、この場合に行き先の駅などにいつ到着するのかなどを気にしたり、また乗り過ごすこともない。
【００２１】
また、請求項８記載の本発明は、携帯型通信端末を所持して乗客が乗り物に乗降する場合において乗客が所持する携帯型通信端末からセンタ装置に乗客の乗降状態を逐次伝達し、これに対してセンタ装置から携帯型通信端末を介して乗客に乗降案内を行う乗降案内システムであって、センタ装置は、各乗り物の乗り物名、現在位置を含む運行状況を各乗り物ＩＤに対応して登録管理する運行状況管理データベースと、出発場所、到着場所、出発または到着時刻に対して出発場所で乗るべき乗り物名を含む乗降案内情報を登録する乗降案内情報データベースと、乗客が乗り物に乗る場合に携帯型通信端末に入力される初乗り場所名を携帯型通信端末から携帯型通信端末の通信回線を介して乗客ＩＤとともに受信する乗り場所名受信手段と、乗客が乗り物に乗る場合に携帯型通信端末に入力される行き先名を携帯型通信端末から携帯型通信端末の通信回線を介して乗客ＩＤとともに受信する行き先名受信手段と、前記受信した初乗り場所名、行き先名、および当該受信時刻に基づき前記運行状況管理データベースおよび乗降案内情報データベースを検索し、途中乗り換えを含む乗り物名、乗り場情報、出発時刻、および到着時刻を途中乗換え含有取得情報として前記データベースから取得する検索手段と、前記検索で取得した情報に基づき乗客ＩＤに対応して途中乗り換えを含む乗り物名、乗り場情報、出発時刻、行き先名、および到着時刻を途中乗換え含有登録情報として登録する乗客データベースと、乗客ＩＤに基づき乗客の携帯型通信端末を呼び出し、前記検索で取得した情報に基づく途中乗り換えを含む乗降案内情報を乗客に通知する途中乗換通知手段と、乗客が乗り物に乗り込んだ場合に携帯型通信端末に入力される乗込み乗り物名を携帯型通信端末から携帯型通信端末の通信回線を介して乗客ＩＤとともに受信する乗込み乗り物名受信手段と、この受信した乗込み乗り物名が前記乗り物名に一致するか否かを前記乗客データベースに登録されている情報に基づき判定し、一致しない場合には、乗客ＩＤに基づき乗客の携帯型通信端末を呼び出し、正しい乗り物名、乗り場情報、出発時刻、行き先名を通知する乗り物誤り時正解乗り物名等通知手段と、前記判定の結果、乗客が正しい乗り物に乗込んだ場合には、前記乗客データベースに登録された乗客の乗り物の運行状況を前記運行状況管理データベースに格納された当該乗り物の運行状況に基づき監視し、当該乗り物が途中乗り換え場所に接近した場合に、乗客ＩＤに基づき乗客の携帯型通信端末を呼び出し、途中乗り換え場所に接近した旨の通知を行う途中乗換場所接近通知手段と、乗客が途中乗り換え場所で乗り物から降りる場合に入力される降り場所名を携帯型通信端末から携帯型通信端末の通信回線を介して乗客ＩＤとともに受信する途中乗換降り場所名受信手段と、この受信した降り場所が前記途中乗り換え場所に一致するか否かを判定し、一致する場合には、乗客ＩＤに基づき乗客の携帯型通信端末を呼び出し、当該途中乗り換え場所での途中乗り換え用乗り物名、出発時刻、乗り場情報を乗客に通知し、一致しない場合には、乗客ＩＤに基づき乗客の携帯型通信端末を呼び出し、途中乗り換え場所誤り通知および正しい乗り換え案内を行う途中乗換降り場所誤り通知手段と、乗客が途中乗り換え用乗り物に乗り込んだ場合に携帯電話に入力される乗込み乗り物名を携帯型通信端末から携帯型通信端末の通信回線を介して乗客ＩＤとともに受信する途中乗換乗り物名受信手段と、この受信した乗込み乗り物名が前記途中乗り換え用乗り物名に一致するか否かを前記乗客データベースに登録されている情報に基づき判定し、一致しない場合には、乗客ＩＤに基づき乗客  の携帯型通信端末を呼び出し、正しい途中乗り換え用乗り物名、乗り場情報、出発時刻、行き先名を通知する途中乗換乗り物誤り時正解乗り物名等通知手段と、前記判定の結果、乗客が正しい途中乗り換え用乗り物に乗り込んだ場合には、前記乗客データベースに登録された乗客の途中乗り換え用乗り物の運行状況を前記運行状況管理データベースに格納された当該乗り物の運行状況に基づき監視し、当該乗り物が行き先に接近した場合に、乗客ＩＤに基づき乗客の携帯型通信端末を呼び出し、行き先に接近した旨の通知を行う行き先接近通知手段と、乗客が乗り物から降りる場合に入力される降りた情報を携帯型通信端末から携帯型通信端末の通信回線を介して乗客ＩＤとともに受信する降り情報受信手段と、この受信した降りた情報に基づき判明した降り場所が前記行き先に一致するか否かを判定し、一致しない場合には、乗客ＩＤに基づき乗客の携帯型通信端末を呼び出し、降り場所誤り通知および正しい乗降案内を行う降り場所誤り通知手段とを有することを要旨とする。
【００２２】
請求項８記載の本発明にあっては、センタ装置は乗客の携帯端末から乗り場所名、行き先名を受信し、これらの情報に基づきデータベースから途中乗り換えを含む乗り物名、乗り場情報、出発時刻、到着時刻を取得し、乗客データベースに登録するとともに、乗客の携帯端末を呼び出し、途中乗り換えを含む乗降案内を乗客に行い、乗客が乗り物に乗り込むと、乗り物名を携帯端末から受信し、この乗り物が正しいか否か判定し、正しくない場合には、携帯端末で正しい乗り物案内を行い、正しい乗り物に乗り込むと、その運行状況を監視し、乗り物が途中乗換場所に接近すると、携帯端末で途中乗換場所接近案内を行い、乗客が途中乗換場所で乗り物から降りると、降り場所名を携帯端末から受信し、この途中乗換場所が正しいか判定し、正しくない場合には、携帯端末で途中乗換場所誤り通知および正しい乗降案内を行い、途中乗換用乗り物に乗り込むと、乗り物名を携帯端末から受信し、この乗り物が正しいか否か判定し、正しくない場合には、携帯端末で正しい乗り物案内を行い、正しい乗り物に乗り込むと、その運行状況を監視し、行き先に接近すると、携帯端末で行き先接近案内を行い、乗客が乗り物から降りると、降りた情報を携帯端末から受信し、この降り場所が正しいか判定し、正しくない場合には、携帯端末で降り場所誤り通知および正しい乗降案内を行うため、乗客は例えば不慣れな駅で列車に乗る場合や不慣れな場所に列車で行くような場合であって、途中の乗り換えを行うような複雑な場合でも、行き先名の設定さえ間違えなければセンタ装置からの案内により途中の乗り換えを正確に行いながら、正しい乗り場で正しい乗り物に乗って、所望の正しい行き先に迷うことなく正確かつ簡単に行くことができ、この場合に途中の乗り換え駅や行き先の駅などにいつ到着するのかなどを気にしたり、また乗り過ごすこともない。
【００２３】
更に、請求項９記載の本発明は、請求項７または８記載の発明において、前記乗り場所名受信手段は、当該乗り場所に設けられて、乗り場所名を無線データとして送信する乗り場所名用データ送信装置と、該データ送信装置から無線データとして送信される乗り場所名を携帯型通信端末で受信し、この受信した乗り場所名を携帯型通信端末からセンタ装置に送信する乗り場所名送信手段とを有し、前記行き先名受信手段は、当該乗り場所に設けられて、行き先名を無線データとして送信する行き先名用データ送信手段と、該データ送信手段から無線データとして送信される行き先名を携帯型通信端末で受信し、この受信した行き先名を携帯型通信端末からセンタ装置に送信する行き先名送信手段とを有し、前記乗込み乗り物名受信手段は、当該乗り物に設けられて、乗込み乗り物名を無線データとして送信する乗込み乗り物名用データ送信装置と、該データ送信装置から無線データとして送信される乗込み乗り物名を携帯型通信端末で受信し、この受信した乗込み乗り物名を携帯型通信端末からセンタ装置に送信する乗込み乗り物名送信手段とを有し、前記降り場所名受信手段は、当該降り場所に設けられて、降り場所名を無線データとして送信する降り場所名用データ送信装置と、該データ送信手段から無線データとして送信される降り場所名を携帯型通信端末で受信し、この受信した降り場所名を携帯型通信端末からセンタ装置に送信する降り場所名送信手段とを有し、前記携帯型通信端末は、データ送信装置から送信される無線データを受信し、この受信したデータを携帯型通信端末の通信回線を介してセンタ装置に送信するデータ受信手段を有することを要旨とする。
【００２４】
請求項９記載の本発明にあっては、乗客が乗り物に乗降する場合の乗り場所名、行き先名、乗込み乗り物名、降り場所名の情報は、すべてデータ送信装置から送信される無線データを携帯型通信端末で受信し、センタ装置に送信するため、乗客は単にデータ送信装置のそばを通過するかまたは携帯型通信端末をデータ送信装置にかざすなどの操作により乗り場所名、行き先名、乗込み乗り物名、降り場所名の情報はすべて自動的かつ正確にセンタ装置に送信され、乗客は例えばボタン操作などの煩わしく間違い易い操作が不要となり、操作性の向上および効率化を図ることができる。
【００２５】
請求項１０記載の本発明は、請求項７記載の発明において、前記運行状況管理データベースは、各乗り物の乗り物名、始発場所、始発時刻、始発乗り物情報、到着場所、到着時刻、到着乗り物情報、途中停止場所、途中停止場所での発着時刻、停止乗り場情報、現在位置を含む情報を運行状況として各乗り物ＩＤに対応して登録管理し、前記乗換案内情報データベースは、出発場所、到着場所、出発または到着時刻に対して出発場所で乗るべき乗り物名、乗り物ＩＤ、出発時刻、出発乗り場情報、到着場所への到着予定時刻を出力し得るように各乗り物の出発場所、到着場所、出発時刻、到着時刻に関する情報を乗降案内情報として登録することを要旨とする。
【００２６】
請求項１０記載の本発明にあっては、運行状況管理データベースは、各乗り物の乗り物名、始発場所、始発時刻、始発乗り場情報、到着場所、到着時刻、到着乗り場情報、途中停止場所、途中停止場所での発着時刻、停止乗り場情報、現在位置を含む情報を運行状況として各乗り物ＩＤに対応して登録管理し、前記乗換案内情報データベースは、出発場所、到着場所、出発または到着時刻に対して出発場所で乗るべき乗り物名、乗り物ＩＤ、出発時刻、出発乗り場情報、到着場所への到着予定時刻を出力し得るように各乗り物の出発場所、到着場所、出発時刻、到着時刻に関する情報を乗降案内情報として登録する。
【００２７】
また、請求項１１記載の本発明は、請求項８記載の発明において、前記運行状況管理データベースは、各乗り物の乗り物名、始発場所、始発時刻、始発乗り場情報、到着場所、到着時刻、到着乗り場情報、途中停止場所、途中停止場所での発着時刻、停止乗り場情報、現在位置を含む情報を運行状況として各乗り物ＩＤに対応して登録管理し、乗換案内情報データベースは、出発場所、到着場所、出発時刻または到着時刻に対して出発場所で乗るべき乗り物名、乗り物ＩＤ、出発時刻、出発乗り場情報、途中乗り換え場所、途中乗り換え時刻、途中乗り換え用乗り物名、途中乗り換え用乗り物ＩＤ、途中乗り換え用乗り物の途中乗り換え場所からの出発時刻、途中乗り換え用出発乗り場情報、到着場所への到着予定時刻を出力し得るように各乗り物の出発場所、到着場所、出発時刻、到着時刻に関する情報を乗降案内情報として登録管理することを要旨とする。
【００２８】
請求項１１記載の本発明にあっては、運行状況管理データベースは、各乗り物の乗り物名、始発場所、始発時刻、始発乗り場情報、到着場所、到着時刻、到着乗り場情報、途中停止場所、途中停止場所での発着時刻、停止乗り場情報、現在位置を含む情報を運行状況として各乗り物ＩＤに対応して登録管理し、乗換案内情報データベースは、出発場所、到着場所、出発時刻または到着時刻に対して出発場所で乗るべき乗り物名、乗り物ＩＤ、出発時刻、出発乗り場情報、途中乗り換え場所、途中乗り換え時刻、途中乗り換え用乗り物名、途中乗り換え用乗り物ＩＤ、途中乗り換え用乗り物の途中乗り換え場所からの出発時刻、途中乗り換え用出発乗り場情報、到着場所への到着予定時刻を出力し得るように各乗り物の出発場所、到着場所、出発時刻、到着時刻に関する情報を乗降案内情報として登録管理する。
【００２９】
更に、請求項１２記載の本発明は、請求項８記載の発明において、前記途中乗換え含有取得情報は、途中乗り換え場所までの乗り物名、乗り場情報、出発時刻、途中乗り換え場所までの乗り物での行き先名、途中乗り換え場所、途中乗り換え時刻、途中乗り換え用乗り物名、途中乗り換え用乗り物の途中乗り換え場所からの出発時刻、途中乗り換え用出発乗り場情報、途中乗り換え用乗り物での行き先名、行き先への到着時刻を含み、前記途中乗換え含有登録情報は、乗客ＩＤに対応して途中乗り換え場所までの乗り物名、乗り物ＩＤ、初乗り場所名、乗り場情報、出発時刻、途中乗り換え場所までの乗り物での行き先名、途中乗り換え場所、途中乗り換え時刻、途中乗り換え用乗り物名、途中乗り換え用乗り物の途中乗り換え場所からの出発時刻、途中乗り換え用出発乗り場情報、途中乗り換え用乗り物での行き先名、行き先への到着時刻を含み、前記途中乗り換えを含む乗降案内情報は、初乗り場所での乗り物名、乗り場情報、出発時刻、途中乗り換え場所名、途中乗り換え時刻、途中乗り換え用乗り物名、途中乗り換え場所からの出発時刻、途中乗り換え用出発乗り場情報、行き先への到着時刻を含むことを要旨とする。
【００３０】
請求項１２記載の本発明にあっては、途中乗換え含有取得情報は、途中乗り換え場所までの乗り物名、乗り場情報、出発時刻、途中乗り換え場所までの乗り物での行き先名、途中乗り換え場所、途中乗り換え時刻、途中乗り換え用乗り物名、途中乗り換え用乗り物の途中乗り換え場所からの出発時刻、途中乗り換え用出発乗り場情報、途中乗り換え用乗り物での行き先名、行き先への到着時刻を含み、途中乗換え含有登録情報は、乗客ＩＤに対応して途中乗り換え場所までの乗り物名、乗り物ＩＤ、初乗り場所名、乗り場情報、出発時刻、途中乗り換え場所までの乗り物での行き先名、途中乗り換え場所、途中乗り換え時刻、途中乗り換え用乗り物名、途中乗り換え用乗り物の途中乗り換え場所からの出発時刻、途中乗り換え用出発乗り場情報、途中乗り換え用乗り物での行き先名、行き先への到着時刻を含み、途中乗り換えを含む乗降案内情報は、初乗り場所での乗り物名、乗り場情報、出発時刻、途中乗り換え場所名、途中乗り換え時刻、途中乗り換え用乗り物名、途中乗り換え場所からの出発時刻、途中乗り換え用出発乗り場情報、行き先への到着時刻を含む。
【００３１】
請求項１３記載の本発明は、携帯型通信端末を所持して乗客が乗り物に乗降する場合において乗客が所持する携帯型通信端末からセンタ装置に乗客の乗降状態を逐次伝達し、これに対してセンタ装置から携帯型通信端末を介して乗客に乗降案内を行う乗降案内プログラムであって、センタ装置において、各乗り物の乗り物名、現在位置を含む運行状況を各乗り物ＩＤに対応して運行状況管理データベースに登録管理し、出発場所、到着場所、出発または到着時刻に対して出発場所で乗るべき乗り物名を含む乗降案内情報を乗降案内情報データベースに登録し、乗客が乗り物に乗る場合に携帯型通信端末に入力される乗り場所名を携帯型通信端末から携帯型通信端末の通信回線を介して乗客ＩＤとともに受信し、乗客が乗り物に乗る場合に携帯型通信端末に入力される行き先名を携帯型通信端末から携帯型通信端末の通信回線を介して乗客ＩＤとともに受信し、前記受信した乗り場所名、行き先名、および当該受信時刻に基づき前記運行状況管理データベースおよび乗降案内情報データベースを検索し、乗り物名、乗り場情報、出発時刻、および到着時刻を前記データベースから取得し、乗客ＩＤに対応して乗り物名、乗り場所名、乗り場情報、出発時刻、行き先名、到着時刻を乗客データベースに登録するとともに、乗客ＩＤに基づき乗客の携帯型通信端末を呼び出し、前記乗り場所での乗り物名、乗り場情報、出発時刻、行き先名、到着時刻を乗客に通知し、乗客が乗り物に乗り込んだ場合に携帯型通信端末に入力される乗込み乗り物名を携帯型通信端末から携帯型通信端末の通信回線を介して乗客ＩＤとともに受信し、この受信した乗込み乗り物名が前記乗り物名に一致するか否かを前記乗客データベースに登録されている情報に基づき判定し、一致しない場合には、乗客ＩＤに基づき乗客の携帯型通信端末を呼び出し、正しい乗り物名、乗り場情報、出発時刻、行き先名を通知し、前記判定の結果、乗客が正しい乗り物に乗り込んだ場合には、前記乗客データベースに登録された乗客の乗り物の運行状況を前記運行状況管理データベースに格納された当該乗り物の運行状況に基づき監視し、当該乗り物が行き先に接近した場合に、乗客ＩＤに基づき乗客の携帯型通信端末を呼び出し、行き先に接近した旨の通知を行い、乗客が乗り物から降りる場合に入力される降りた情報を携帯型通信端末から携帯型通信端末の通信回線を介して乗客ＩＤとともに受信し、この受信した降りた情報に基づき判明した降り場所が前記行き先に一致するか否かを判定し、一致しない場合には、乗客ＩＤに基づき乗客の携帯型通信端末を呼び出し、降り場所誤り通知および正しい乗降案内を行うことを要旨とする。
【００３２】
請求項１３記載の本発明にあっては、センタ装置は乗客の携帯端末から乗り場所名、行き先名を受信し、これらの情報に基づきデータベースから乗り物名、乗り場情報、出発時刻、到着時刻を取得し、乗客データベースに登録するとともに、乗客の携帯端末を呼び出し、乗り物名、乗り場情報、出発時刻、行き先名、到着時刻などの案内を乗客に行い、乗客が乗り物に乗込むと、乗り物名を携帯端末から受信し、この乗り物が正しいか否か判定し、正しくない場合には、携帯端末で正しい乗り物案内を行い、正しい乗り物に乗り込むと、その運行状況を監視し、行き先に接近すると、携帯端末で行き先接近案内を行い、乗客が乗り物から降りると、降りた情報を携帯端末から受信し、この降りた情報に基づき判明した降り場所が正しいか判定し、正しくない場合には、携帯端末で降り場所誤り通知および正しい乗降案内を行うため、乗客は例えば不慣れな駅で列車に乗る場合や不慣れな場所に列車で行くような場合でも、行き先名の設定さえ間違えなければセンタ装置からの案内により正しい乗り場で正しい乗り物に乗って、所望の正しい行き先に迷うことなく正確かつ簡単に行くことができ、この場合に行き先の駅などにいつ到着するのかなどを気にしたり、また乗り過ごすこともない。
【００３３】
また、請求項１４記載の本発明は、携帯型通信端末を所持して乗客が乗り物に乗降する場合において乗客が所持する携帯型通信端末からセンタ装置に乗客の乗降状態を逐次伝達し、これに対してセンタ装置から携帯型通信端末を介して乗客に乗降案内を行う乗降案内プログラムであって、センタ装置において、各乗り物の乗り物名、現在位置を含む運行状況を各乗り物ＩＤに対応して運行状況管理データベースに登録管理し、出発場所、到着場所、出発または到着時刻に対して出発場所で乗るべき乗り物名を含む乗降案内情報を乗降案内情報データベースに登録し、乗客が乗り物に乗る場合に携帯型通信端末に入力される初乗り場所名を携帯型通信端末から携帯型通信端末の通信回線を介して乗客ＩＤとともに受信し、乗客が乗り物に乗る場合に携帯型通信端末に入力される行き先名を携帯型通信端末から携帯型通信端末の通信回線を介して乗客ＩＤとともに受信し、前記受信した初乗り場所名、行き先名、および当該受信時刻に基づき前記運行状況管理データベースおよび乗降案内情報データベースを検索し、途中乗り換えを含む乗り物名、乗り場情報、出発時刻、および到着時刻を途中乗換え含有取得情報として前記データベースから取得し、乗客ＩＤに対応して途中乗り換えを含む乗り物名、乗り場情報、出発時刻、行き先名、および到着時刻を途中乗換え含有登録情報として乗客データベースに登録するとともに、乗客ＩＤに基づき乗客の携帯型通信端末を呼び出し、途中乗り換えを含む乗降案内情報を乗客に通知し、乗客が乗り物に乗り込んだ場合に携帯型通信端末に入力される乗込み乗り物名を携帯型通信端末から携帯型通信端末の通信回線を介して乗客ＩＤとともに受信し、この受信した乗込み乗り物名が前記乗り物名に一致するか否かを前記乗客データベースに登録されている情報に基づき判定し、一致しない場合には、乗客ＩＤに基づき乗客の携帯型通信端末を呼び出し、正しい乗り物名、乗り場情報、出発時刻、行き先名を通知し、前記判定の結果、乗客が正しい乗り物に乗込んだ場合には、前記乗客データベースに登録された乗客の乗り物の運行状況を前記運行状況管理データベースに格納された当該乗り物の運行状況に基づき監視し、当該乗り物が途中乗り換え場所に接近した場合に、乗客ＩＤに基づき乗客の携帯型通信端末を呼び出し、途中乗り換え場所に接近した旨の通知を行い、乗客が途中乗り換え場所で乗り物から降りる場合に入力される降り場所名を携帯型通信端末から携帯型通信端末の通信回線を介して乗客ＩＤとともに受信し、この受信した降り場所が前記途中乗り換え場所に一致するか否かを判定し、一致する場合には、乗客ＩＤに基づき乗客の携帯型通信端末を呼び出し、当該途中乗り換え場所での途中乗り換え用乗り物名、出発時刻、乗り場情報を乗客に通知し、一致しない場合には、乗客ＩＤに基づき乗客の携帯型通信端末を呼び出し、途中乗り換え場所誤り通知および正しい乗り換え案内を行い、乗客が途中乗り換え用乗り物に乗り込んだ場合に携帯電話に入力される乗込み乗り物名を携帯型通信端末から携帯型通信端末の通信回線を介して乗客ＩＤとともに受信し、この受信した乗込み乗り物名が前記途中乗り換え用乗り物名に一致するか否かを前記乗客データベースに登録されている情報に基づき判定し、一致しない場合には、乗客ＩＤに基づき乗客の携帯型通信端末を呼び出し、正しい途中乗り換え用乗り物名、乗り場情報、出発時刻、行き先名を通知し、前記判定の結果、乗客が正しい途中乗り換え用乗り物に乗り込んだ場合には、前記乗客データベースに登録された乗客の途中乗り換え用乗り物の運行状況を前記運行状況管理データベースに格納された当該乗り物の運行状況に基づき監視し、当該乗り物が行き先に接近した場合に、乗客ＩＤに基づき乗客の携帯型通信端末を呼び出し、行き先に接近した旨の通知を行い、乗客が乗り物から降りる場合に入力される降りた情報を携帯型通信端末から携帯型通信端末の通信回線を介して乗客ＩＤとともに受信し、この受信した降りた情報に基づき判明した降り場所が前記行き先に一致するか否かを判定し、一致しない場合には、乗客ＩＤに基づき乗客の携帯型通信端末を呼び出し、降り場所誤り通知および正しい乗降案内を行うことを要旨とする。
【００３４】
請求項１４記載の本発明にあっては、センタ装置は乗客の携帯端末から乗り場所名、行き先名を受信し、これらの情報に基づきデータベースから途中乗り換えを含む乗り物名、乗り場情報、出発時刻、到着時刻を取得し、乗客データベースに登録するとともに、乗客の携帯端末を呼び出し、途中乗り換えを含む乗降案内を乗客に行い、乗客が乗り物に乗り込むと、乗り物名を携帯端末から受信し、この乗り物が正しいか否か判定し、正しくない場合には、携帯端末で正しい乗り物案内を行い、正しい乗り物に乗り込むと、その運行状況を監視し、乗り物が途中乗換場所に接近すると、携帯端末で途中乗換場所接近案内を行い、乗客が途中乗換場所で乗り物から降りると、降りた情報を携帯端末から受信し、この途中乗換場所が正しいか判定し、正しくない場合には、携帯端末で途中乗換場所誤り通知および正しい乗降案内を行い、途中乗換用乗り物に乗り込むと、乗り物名を携帯端末から受信し、この乗り物が正しいか否か判定し、正しくない場合には、携帯端末で正しい乗り物案内を行い、正しい乗り物に乗り込むと、その運行状況を監視し、行き先に接近すると、携帯端末で行き先接近案内を行い、乗客が乗り物から降りると、降り場所名を携帯端末から受信し、この降り場所が正しいか判定し、正しくない場合には、携帯端末で降り場所誤り通知および正しい乗降案内を行うため、乗客は例えば不慣れな駅で列車に乗る場合や不慣れな場所に列車で行くような場合であって、途中の乗り換えを行うような複雑な場合でも、行き先名の設定さえ間違えなければセンタ装置からの案内により途中の乗り換えを正確に行いながら、正しい乗り場で正しい乗り物に乗って、所望の正しい行き先に迷うことなく正確かつ簡単に行くことができ、この場合に途中の乗り換え駅や行き先の駅などにいつ到着するのかなどを気にしたり、また乗り過ごすこともない。
【００３５】
更に、請求項１５記載の本発明は、請求項１３または１４記載の発明において、前記乗客が乗り物に乗る場合に携帯型通信端末に入力される乗り場所名を携帯型通信端末から乗客ＩＤとともに受信する処理は、当該乗り場所に設けられている乗り場所名用データ送信装置から無線データとして送信される乗り場所名を携帯型通信端末で受信し、この受信した乗り場所名を携帯型通信端末からセンタ装置に送信するようになっており、前記乗客が乗り物に乗る場合に携帯型通信端末に入力される行き先名を携帯型通信端末から乗客ＩＤとともに受信する処理は、当該乗り場所に設けられている行き先名用データ送信装置から無線データとして送信される行き先名を携帯型通信端末で受信し、この受信した行き先名を携帯型通信端末からセンタ装置に送信するようになっており、前記乗客が乗り物に乗り込んだ場合に携帯型通信端末に入力される乗込み乗り物名を携帯型通信端末から乗客ＩＤとともに受信する処理は、当該乗り物に設けられている乗込み乗り物名用データ送信装置から無線データとして送信される乗込み乗り物名を携帯型通信端末で受信し、この受信した乗込み乗り物名を携帯型通信端末からセンタ装置に送信するようになっており、前記乗客が乗り物から降りる場合に入力される降り場所名を携帯型通信端末から乗客ＩＤとともに受信する処理は、当該降り場所に設けられている降り場所名用データ送信装置から無線データとして送信される降り場所名を携帯型通信端末で受信し、この受信した降りた情報に基づき判明した降り場所名を携帯型通信端末からセンタ装置に送信するようになっており、前記携帯型通信端末は、データ送信装置から送信される無線データを受信し、この受信したデータを携帯型通信端末の通信回線を介してセンタ装置に送信するようになっていることを要旨とする。
【００３６】
請求項１５記載の本発明にあっては、乗客が乗り場に乗降する場合の乗り場所名、行き先名、乗込み乗り物名、降り場所名の情報は、すべてデータ送信装置から送信される無線データを携帯型通信端末で受信し、センタ装置に送信するため、乗客は単にデータ送信装置のそばを通過するかまたは携帯型通信端末をデータ送信装置にかざすなどの操作により乗り場所名、行き先名、乗込み乗り物名、降り場所名の情報はすべて自動的かつ正確にセンタ装置に送信され、乗客は例えばボタン操作などの煩わしく間違い易い操作が不要となり、操作性の向上および効率化を図ることができる。
【００３７】
請求項１６記載の本発明は、携帯型通信端末を所持して乗客が乗り物に乗降する場合において乗客が所持する携帯型通信端末からセンタ装置に乗客の乗降状態を逐次伝達し、これに対してセンタ装置から携帯型通信端末を介して乗客に乗降案内を行う乗降案内プログラムを記録した記録媒体であって、センタ装置において、各乗り物の乗り物名、現在位置を含む運行状況を各乗り物ＩＤに対応して運行状況管理データベースに登録管理し、出発場所、到着場所、出発または到着時刻に対して出発場所で乗るべき乗り物名を含む乗降案内情報を乗降案内情報データベースに登録し、乗客が乗り物に乗る場合に携帯型通信端末に入力される乗り場所名を携帯型通信端末から携帯型通信端末の通信回線を介して乗客ＩＤとともに受信し、乗客が乗り物に乗る場合に携帯型通信端末に入力される行き先名を携帯型通信端末から携帯型通信端末の通信回線を介して乗客ＩＤとともに受信し、前記受信した乗り場所名、行き先名、および当該受信時刻に基づき前記運行状況管理データベースおよび乗降案内情報データベースを検索し、乗り物名、乗り場情報、出発時刻、および到着時刻を前記データベースから取得し、乗客ＩＤに対応して乗り物名、乗り場所名、乗り場情報、出発時刻、行き先名、到着時刻を乗客データベースに登録するとともに、乗客ＩＤに基づき乗客の携帯型通信端末を呼び出し、前記乗り場所での乗り物名、乗り場情報、出発時刻、行き先名、到着時刻を乗客に通知し、乗客が乗り物に乗り込んだ場合に携帯型通信端末に入力される乗込み乗り物名を携帯型通信端末から携帯型通信端末の通信回線を介して乗客ＩＤとともに受信し、この受信した乗込み乗り物名が前記乗り物名に一致するか否かを前記乗客データベースに登録されている情報に基づき判定し、一致しない場合には、乗客ＩＤに基づき乗客の携帯型通信端末を呼び出し、正しい乗り物名、乗り場情報、出発時刻、行き先名を通知し、前記判定の結果、乗客が正しい乗り物に乗り込んだ場合には、前記乗客データベースに登録された乗客の乗り物の運行状況を前記運行状況管理データベースに格納された当該乗り物の運行状況に基づき監視し、当該乗り物が行き先に接近した場合に、乗客ＩＤに基づき乗客の携帯型通信端末を呼び出し、行き先に接近した旨の通知を行い、乗客が乗り物から降りる場合に入力される降りた情報を携帯型通信端末から携帯型通信端末の通信回線を介して乗客ＩＤとともに受信し、この受信した降りた情報に基づき判明した降り場所が前記行き先に一致するか否かを判定し、一致しない場合には、乗客ＩＤに基づき乗客の携帯型通信端末を呼び出し、降り場所誤り通知および正しい乗降案内を行う乗降案内プログラムを記録媒体に記録することを要旨とする。
【００３８】
請求項１６記載の本発明にあっては、センタ装置は乗客の携帯端末から乗り場所名、行き先名を受信し、これらの情報に基づきデータベースから乗り物名、乗り場情報、出発時刻、到着時刻を取得し、乗客データベースに登録するとともに、乗客の携帯端末を呼び出し、乗り物名、乗り場情報、出発時刻、行き先名、到着時刻などの案内を乗客に行い、乗客が乗り物に乗り込むと、乗り物名を携帯端末から受信し、この乗り物が正しいか否か判定し、正しくない場合には、携帯端末で正しい乗り物案内を行い、正しい乗り物に乗り込むと、その運行状況を監視し、行き先に接近すると、携帯端末で行き先接近案内を行い、乗客が乗り物から降りると、降りた情報を携帯端末から受信し、この降り場所が正しいか判定し、正しくない場合には、携帯端末で降り場所誤り通知および正しい乗降案内を行う乗降案内プログラムを記録媒体に記録しているため、該記録媒体を用いて、その流通性を高めることができる。
【００３９】
また、請求項１７記載の本発明は、携帯型通信端末を所持して乗客が乗り物に乗降する場合において乗客が所持する携帯型通信端末からセンタ装置に乗客の乗降状態を逐次伝達し、これに対してセンタ装置から携帯型通信端末を介して乗客に乗降案内を行う乗降案内プログラムを記録した記録媒体であって、センタ装置において、各乗り物の乗り物名、現在位置を含む運行状況を各乗り物ＩＤに対応して運行状況管理データベースに登録管理し、出発場所、到着場所、出発または到着時刻に対して出発場所で乗るべき乗り物名を含む乗降案内情報を乗降案内情報データベースに登録し、乗客が乗り物に乗る場合に携帯型通信端末に入力される初乗り場所名を携帯型通信端末から携帯型通信端末の通信回線を介して乗客ＩＤとともに受信し、乗客が乗り物に乗る場合に携帯型通信端末に入力される行き先名を携帯型通信端末から携帯型通信端末の通信回線を介して乗客ＩＤとともに受信し、前記受信した初乗り場所名、行き先名、および当該受信時刻に基づき前記運行状況管理データベースおよび乗降案内情報データベースを検索し、途中乗り換えを含む乗り物名、乗り場情報、出発時刻、および到着時刻を途中乗換え含有取得情報として前記データベースから取得し、乗客ＩＤに対応して途中乗り換えを含む乗り物名、乗り場情報、出発時刻、行き先名、および到着時刻を途中乗換え含有登録情報として乗客データベースに登録するとともに、乗客ＩＤに基づき乗客の携帯型通信端末を呼び出し、途中乗り換えを含む乗降案内情報を乗客に通知し、乗客が乗り物に乗り込んだ場合に携帯型通信端末に入力される乗込み乗り物名を携帯型通信端末から携帯型通信端末の通信回線を介して乗客ＩＤとともに受信し、この受信した乗込み乗り物名が前記乗り物名に一致するか否かを前記乗客データベースに登録されている情報に基づき判定し、一致しない場合には、乗客ＩＤに基づき乗客の携帯型通信端末を呼び出し、正しい乗り物名、乗り場情報、出発時刻、行き先名を通知し、前記判定の結果、乗客が正しい乗り物に乗込んだ場合には、前記乗客データベースに登録された乗客の乗り物の運行状況を前記運行状況管理データベースに格納された当該乗り物の運行状況に基づき監視し、当該乗り物が途中乗り換え場所に接近した場合に、乗客ＩＤに基づき乗客の携帯型通信端末を呼び出し、途中乗り換え場所に接近した旨の通知を行い、乗客が途中乗り換え場所で乗り物から降りる場合に入力される降り場所名を携帯型通信端末から携帯型通信端末の通信回線を介して乗客ＩＤとともに受信し、この受信した降り場所が前記途中乗り換え場所に一致するか否かを判定し、一致する場合には、乗客ＩＤに基づき乗客の携帯型通信端末を呼び出し、当該途中乗り換え場所での途中乗り換え用乗り物名、出発時刻、乗り場情報を乗客に通知し、一致しない場合には、乗客ＩＤに基づき乗客の携帯型通信端末を呼び出し、途中乗り換え場所誤り通知および正しい乗り換え案内を行い、乗客が途中乗り換え用乗り物に乗り込んだ場合に携帯電話に入力される乗込み乗り物名を携帯型通信端末から携帯型通信端末の通信回線を介して乗客ＩＤとともに受信し、この受信した乗込み乗り物名が前記途中乗り換え用乗り物名に一致するか否かを前記乗客データベースに登録されている情報に基づき判定し、一致しない場合には、乗客ＩＤに基づき乗客の携帯型通信端末を呼び出し、正しい途中乗り換え用乗り物名、乗り場情報、出発時刻、行き先名を通知し、前記判定の結果、乗客が正しい途中乗り換え用乗り物に乗り込んだ場合には、前記乗客データベースに登録された乗客の途中乗り換え用乗り物の運行状況を前記運行状況管理データベースに格納された当該乗り物の運行状況に基づき監視し、当該乗り物が行き先に接近した場合に、乗客ＩＤに基づき乗客の携帯型通信端末を呼び出し、行き先に接近した旨の通知を行い、乗客が乗り物から降りる場合に入力される降りた情報を携帯型通信端末から携帯型通信端末の通信回線を介して乗客ＩＤとともに受信し、この受信した降りた情報に基づき判明した降り場所が前記行き先に一致するか否かを判定し、一致しない場合には、乗客ＩＤに基づき乗客の携帯型通信端末を呼び出し、降り場所誤り通知および正しい乗降案内を行う乗降案内プログラムを記録媒体に記録することを要旨とする。
【００４０】
請求項１７記載の本発明にあっては、センタ装置は乗客の携帯端末から乗り場所名、行き先名を受信し、これらの情報に基づきデータベースから途中乗り換えを含む乗り物名、乗り場情報、出発時刻、到着時刻を取得し、乗客データベースに登録するとともに、乗客の携帯端末を呼び出し、途中乗り換えを含む乗降案内を乗客に行い、乗客が乗り物に乗り込むと、乗り物名を携帯端末から受信し、この乗り物が正しいか否か判定し、正しくない場合には、携帯端末で正しい乗り物案内を行い、正しい乗り物に乗り込むと、その運行状況を監視し、乗り物が途中乗換場所に接近すると、携帯端末で途中乗換場所接近案内を行い、乗客が途中乗換場所で乗り物から降りると、降りた情報を携帯端末から受信し、この途中乗換場所が正しいか判定し、正しくない場合には、携帯端末で途中乗換場所誤り通知および正しい乗降案内を行い、途中乗換用乗り物に乗り込むと、乗り物名を携帯端末から受信し、この乗り物が正しいか否か判定し、正しくない場合には、携帯端末で正しい乗り物案内を行い、正しい乗り物に乗り込むと、その運行状況を監視し、行き先に接近すると、携帯端末で行き先接近案内を行い、乗客が乗り物から降りると、降りた情報を携帯端末から受信し、この降り場所が正しいか判定し、正しくない場合には、携帯端末で降り場所誤り通知および正しい乗降案内を行う乗降案内プログラムを記録媒体に記録しているため、該記録媒体を用いて、その流通性を高めることができる。
【００４１】
更に、請求項１８記載の本発明は、請求項１６または１７記載の発明において、前記乗客が乗り物に乗る場合に携帯型通信端末に入力される乗り場所名を携帯型通信端末から乗客ＩＤとともに受信する処理は、当該乗り場所に設けられている乗り場所名用データ送信装置から無線データとして送信される乗り場所名を携帯型通信端末で受信し、この受信した乗り場所名を携帯型通信端末からセンタ装置に送信するようになっており、前記乗客が乗り物に乗る場合に携帯型通信端末に入力される行き先名を携帯型通信端末から乗客ＩＤとともに受信する処理は、当該乗り場所に設けられている行き先名用データ送信装置から無線データとして送信される行き先名を携帯型通信端末で受信し、この受信した行き先名を携帯型通信端末からセンタ装置に送信するようになっており、前記乗客が乗り物に乗り込んだ場合に携帯型通信端末に入力される乗込み乗り物名を携帯型通信端末から乗客ＩＤとともに受信する処理は、当該乗り物に設けられている乗込み乗り物名用データ送信装置から無線データとして送信される乗込み乗り物名を携帯型通信端末で受信し、この受信した乗込み乗り物名を携帯型通信端末からセンタ装置に送信するようになっており、前記乗客が乗り物から降りる場合に入力される降り場所名を携帯型通信端末から乗客ＩＤとともに受信する処理は、当該降り場所に設けられている降り場所名用データ送信装置から無線データとして送信される降り場所名を携帯型通信端末で受信し、この受信した降りた情報を携帯型通信端末からセンタ装置に送信するようになっており、前記携帯型通信端末は、データ送信装置から送信される無線データを受信し、この受信したデータを携帯型通信端末の通信回線を介してセンタ装置に送信するようになっている乗降案内プログラムを記録媒体に記録することを要旨とする。
【００４２】
請求項１８記載の本発明にあっては、乗客が乗り物に乗降する場合の乗り場所名、行き先名、乗込み乗り物名、降り場所名の情報は、すべてデータ送信装置から送信される無線データを携帯型通信端末で受信し、センタ装置に送信する乗降案内プログラムを記録媒体に記録しているため、該記録媒体を用いて、その流通性を高めることができる。
【００４３】
【発明の実施の形態】
以下、図面を用いて本発明の実施の形態を説明する。図１は、本発明の一実施形態に係る乗降案内システムの構成を示す図である。同図に示す本実施形態の乗降案内システムは、乗客が列車に乗ろうとして改札口から駅に入る時から降りるまでの乗客の一連の乗降動作を検知し、この一連の乗降動作に対して乗客に乗降案内や乗換案内などを行うものであり、この乗降案内や乗換案内を行うためにセンタ装置１５を有している。また、乗客１は非接触ＩＣカード（タグ）を読み込む機能を付加した携帯電話３を携帯して改札口７から駅５に入り、更に列車２１に乗り込むようになっている。なお、本実施形態では、携帯電話３を使用する場合について説明するが、本発明は携帯電話に限定されるものでなく、ＰＨＳを含む携帯型通信端末であればよいものである。
【００４４】
乗客１が所持する携帯電話３は、乗車券のプリペイド機能および非接触ＩＣカード（タグ）を読み込む機能を有するものであるとともに、また改札口７には非接触ＩＣカード（タグ）、すなわちＩＣカード型発駅改札口用データ送信装置８が設けられている。このＩＣカード型発駅改札口用データ送信装置８は、当該駅５を特定する発駅識別情報である発駅ＩＤを無線データで送信するようになっている。なお、この送信される無線データは発駅ＩＤに限られるものでなく、発駅名、上位概念としては乗り場所名でもよいものである。
【００４５】
従って、乗客１が改札口７を通過して駅内に入る場合に、改札口７に設けられているＩＣカード型発駅改札口用データ送信装置８に乗客１が携帯電話３をかざすなどの操作を行うことにより、非接触ＩＣカード（タグ）の読み込み機能を有する携帯電話３はＩＣカード型発駅改札口用データ送信装置８から無線データとして送信される発駅ＩＤを受信し得るようになっている。すなわち、携帯電話３は、ＩＣカード型発駅改札口用データ送信装置８から送信される無線データを受信し得るデータ受信手段を有しているものである。
【００４６】
携帯電話３は、その非接触ＩＣカード（タグ）の読み込み機能であるデータ受信手段によりＩＣカード型発駅改札口用データ送信装置８からの無線データの発駅ＩＤを受信すると、この発駅ＩＤを乗客１の識別情報（ＩＤ）であるユーザＩＤとともに無線回線、携帯電話基地局１１、通信回線１３を介してセンタ装置１５に送信するようになっている。従って、センタ装置１５は、携帯電話３から発駅ＩＤおよびユーザＩＤを受信することにより、この発駅ＩＤおよびユーザＩＤから乗客１がどの駅５の改札口７を通過したという乗客の動作を逐次受信して監視することができるようになっている。
【００４７】
ＩＣカード型発駅改札口用データ送信装置８と同様な非接触ＩＣカード（タグ）であるデータ送信装置は、駅５の改札口７の近傍の例えば掲示板などに設けられている目的駅一覧装置９や列車２１のドア２３の近傍にも設けられている。
【００４８】
目的駅一覧装置９は、乗客１の行き先である目的駅ＩＤを携帯電話３に入力させるものであり、複数のＩＣカード型目的駅ＩＤデータ送信装置９ａを備えている。複数のＩＣカード型目的駅ＩＤデータ送信装置９ａは、それぞれ例えば東京駅ＩＤ、神田駅ＩＤなどのような異なる目的駅ＩＤを無線データとして送信しているものである。そこで、乗客１は、自身の携帯電話３を行き先である目的駅のＩＣカード型目的駅ＩＤデータ送信装置９ａの前にかざすなどの操作を行うことにより、このＩＣカード型目的駅ＩＤデータ送信装置９ａから送信されている目的駅ＩＤを受信することができる。そして、携帯電話３は、この受信した目的駅ＩＤをユーザＩＤとともに無線回線、携帯電話基地局１１、通信回線１３を介してセンタ装置１５に送信するようになっている。センタ装置１５は、これにより乗客１がどの目的駅に行きたいのかを知ることができる。なお、各ＩＣカード型目的駅ＩＤデータ送信装置９ａから送信されるデータは、目的駅ＩＤに限られるものでなく、目的駅名や行き先名でもよいものである。
【００４９】
また、列車２１のドア２３の近傍に設けられているデータ送信装置は、ＩＣカード型列車出入口用データ送信装置２５であり、このＩＣカード型列車出入口用データ送信装置２５は、列車２１の識別情報（ＩＤ）である列車ＩＤを無線データとして送信しているものである。従って、乗客１が列車２１にドア２３から乗り込む場合に、このドア２３の近傍に設けられているＩＣカード型列車出入口用データ送信装置２５に自身の携帯電話３をかざすなどの操作を行うことにより、当該列車２１の識別情報（ＩＤ）である列車ＩＤが携帯電話３で受信され、この列車ＩＤは携帯電話３からユーザＩＤとともに無線回線、携帯電話基地局１１、通信回線１３を介してセンタ装置１５に送信するようになっている。センタ装置１５は、これにより乗客１がどの列車に乗り込んだものであるかを知ることができる。なお、ＩＣカード型列車出入口用データ送信装置２５から送信されるデータは、列車ＩＤに限られるものでなく、列車名、上位概念としては乗り物名でもよいものである。
【００５０】
また、センタ装置１５には、各乗り物の乗り物名、現在位置を含む運行状況を各乗り物ＩＤに対応して登録管理している運行状況管理データベースを有する列車運行状況管理システム１７、および出発場所、到着場所、出発または到着時刻に対して出発場所で乗るべき乗り物名を含む乗降案内情報を登録している乗降案内情報データベースを有する乗り換え情報提供システム１９が接続されている。なお、これらの列車運行状況管理システム１７および乗り換え情報提供システム１９は、本実施形態ではセンタ装置１５から分離して別個の装置として設けられているように示されているが、これらの列車運行状況管理システム１７および乗り換え情報提供システム１９はセンタ装置１５に内蔵されていてもよいものであるし、またセンタ装置１５に列車運行状況管理システム１７および乗り換え情報提供システム１９を含んだものがセンタ装置であるとしてもよいものである。
【００５１】
列車運行状況管理システム１７の運行状況管理データベースは、具体的には各列車の現在の運行情報をリアルタイムにセンタ装置１５に提供し得るように列車名、始発駅と発車時刻、発車ホーム番号、終着駅と到着時刻、停車ホーム番号、途中停車駅とその発着予定時刻、停車ホーム番号、列車がどことどこの駅の間またはどこの駅に停車中であるかや、あとどれくらいの時間で次の駅に到着するかなどのような現在走行している場所の情報を登録管理している。
【００５２】
また、乗り換え情報提供システム１９の乗換案内情報データベースは、乗車駅、行き先駅、希望発車時刻または希望到着時刻などの入力情報に対して、乗車駅で乗車すべき列車名と時刻、乗車するプラットホーム、途中乗り換え駅がある場合には、乗り換えのために下車する駅名と時刻、乗り換える駅で乗車すべき列車名と時刻、乗車するプラットホーム、行き先駅到着予定時刻などの案内情報を提供し得るように各列車の発車駅、到着駅、発車時刻、到着時刻に関する情報を登録している。
【００５３】
更に詳しくは、列車運行状況管理システム１７の運行状況管理データベースは、各乗り物の乗り物名、始発場所、始発時刻、始発乗り場情報、到着場所、到着時刻、到着乗り場情報、途中停止場所、途中停止場所での発着時刻、停止乗り場情報、現在位置を含む情報を運行状況として各乗り物ＩＤに対応して登録管理している。
【００５４】
また、乗り換え情報提供システム１９の乗換案内情報データベースは、出発場所、到着場所、出発時刻または到着時刻に対して出発場所で乗るべき乗り物名、乗り物ＩＤ、出発時刻、出発乗り場情報、途中乗り換え場所、途中乗り換え時刻、途中乗り換え用乗り物名、途中乗り換え用乗り物ＩＤ、途中乗り換え用乗り物の途中乗り換え場所からの出発時刻、途中乗り換え用出発乗り場情報、到着場所への到着予定時刻を出力し得るように各乗り物の出発場所、到着場所、出発時刻、到着時刻に関する情報を乗降案内情報として登録管理している。
【００５５】
図２は、図１に示す乗降案内システムの詳細な構成を示すブロック図てある。図２に示すように、乗降案内システムは、図１に示したセンタ装置１５、列車運行状況管理システム１７、乗り換え情報提供システム１９、携帯電話３、ＩＣカード型列車出入口用データ送信装置２５、ＩＣカード型発駅改札口用データ送信装置８、ＩＣカード型目的駅ＩＤデータ送信装置９ａに加えて、ＩＣカード型目的駅設置目的駅ＩＤ用データ送信装置３１を有する。なお、このＩＣカード型目的駅設置目的駅ＩＤ用データ送信装置３１は、例えば目的駅の改札口などに設けられるものである。
【００５６】
図２を参照して、各部分の構成について詳細に説明する。まず、駅５の改札口７に設けられ、無線データの発駅ＩＤを送信するＩＣカード型発駅改札口用データ送信装置８は、発駅ＩＤを保存している発駅ＩＤデータ保存部４１、この発駅ＩＤデータ保存部４１から発駅ＩＤを受け取り、ファイル管理を行うファイル管理手段４３、このファイル管理手段４３を介して発駅ＩＤデータ保存部４１から受け取った発駅ＩＤの送信データを組み立てる送信データ組立手段４５、この組み立てられた発駅ＩＤを無線データとして送信するデータ送信手段４７から構成され、このデータ送信手段４７から送信される無線データの発駅ＩＤは携帯電話３で受信されるようになっている。
【００５７】
また、列車２１のドア２３の近傍に設けられるＩＣカード型列車出入口用データ送信装置２５、駅５の改札口７の近傍の例えば掲示板などに目的駅一覧装置９を構成するように設けられている複数のＩＣカード型目的駅ＩＤデータ送信装置９ａ、および目的駅の改札口などに設けられるＩＣカード型目的駅設置目的駅ＩＤ用データ送信装置３１も、それぞれＩＣカード型発駅改札口用データ送信装置８と同様にデータ保存部４１、ファイル管理手段４３、送信データ組立手段４５、およびデータ送信手段４７から構成されている。
【００５８】
そして、ＩＣカード型列車出入口用データ送信装置２５は、そのデータ保存部４１に列車ＩＤを保存し、データ送信手段４７から無線データの列車ＩＤを携帯電話３に送信するようになっている。また、ＩＣカード型目的駅ＩＤデータ送信装置９ａは、そのデータ保存部４１に目的駅ＩＤを保存し、データ送信手段４７から無線データの目的駅ＩＤを携帯電話３に送信するようになっている。また、ＩＣカード型目的駅設置目的駅ＩＤ用データ送信装置３１も、そのデータ保存部４１に目的駅ＩＤを保存し、データ送信手段４７から無線データの目的駅ＩＤを携帯電話３に送信するようになっている。
【００５９】
携帯電話３は、ＩＣカード型列車出入口用データ送信装置２５、ＩＣカード型発駅改札口用データ送信装置８、ＩＣカード型目的駅設置目的駅ＩＤ用データ送信装置３１、ＩＣカード型目的駅ＩＤデータ送信装置９ａのそれぞれから送信される無線データの列車ＩＤ、発駅ＩＤ、目的駅ＩＤ、目的駅ＩＤを受信するデータ受信手段５１、その受信したデータを分解する受信データ分解手段５３、この分解されたデータを受け取るファイル管理手段５５、このファイル管理手段５５で受信データ分解手段５３から受け取ったデータである目的駅データ、発駅データ、および当該携帯電話３の使用者、すなわち本実施形態で乗客１のユーザＩＤをそれぞれ保存している目的駅データ保存部６１、発駅データ保存部５９、およびユーザＩＤ保存部５７、ＩＣカード型目的駅ＩＤデータ送信装置９ａから受け取る目的駅ＩＤの代わりに本携帯電話３の使用者である乗客１がボタン操作や音声などで入力される目的駅情報などを受け取り、この受け取った情報を前記ファイル管理手段５５にも供給するデータ入力手段６３、このデータ入力手段６３および前記ファイル管理手段５５からユーザＩＤ、発駅ＩＤ、目的駅ＩＤ、列車ＩＤなどのデータを受け取り、送信データとして組み立てる送信データ組立手段６５、この送信データ組立手段６５に現在時刻を供給する現在時刻取得手段６９、送信データ組立手段６５で組み立てられた発駅ＩＤ、目的駅ＩＤ、列車ＩＤ、ユーザＩＤ、乗客１が駅５内に入場した旨の入場通知情報、列車２１に乗車した旨の乗車通知情報などの送信データを受け取り、この送信データを携帯電話３から無線回線、携帯電話基地局１１、通信回線１３を介してセンタ装置１５に送信するとともに、センタ装置１５からの案内情報を受信するデータ・音声送受信手段６７、およびこのデータ・音声送受信手段６７でセンタ装置１５から受信した案内情報を本携帯電話３の使用者である乗客１に提供する案内情報提供手段７１から構成されている。
【００６０】
また、センタ装置１５は、乗り場情報を格納している乗り場情報データベース（ＤＢ）８１、乗り換え情報を格納している乗り換え情報データベース（ＤＢ）８３、列車ＩＤを格納している列車ＩＤデータベース（ＤＢ）８５、目的駅ＩＤを格納している目的駅ＩＤデータベース（ＤＢ）８７、発駅ＩＤを格納している発駅ＩＤデータベース（ＤＢ）８９、ユーザＩＤを格納しているユーザＩＤデータベース（ＤＢ）９１、時刻情報を格納している時刻データベース（ＤＢ）９３、列車運行状況を格納している列車運行状況データベース（ＤＢ）９５、携帯電話３のデータ・音声送受信手段６７とデータや音声情報の送受信を行うデータ・音声送受信手段１０３、前記列車運行状況管理システム１７から列車運行状況を受け取る列車運行状況取得手段９９、および乗り換え情報提供システム１９から乗り換え情報を受け取り、案内情報を提供する案内情報提供手段１０１から構成されている。なお、上記データベース８１−９３は、乗客データベースを構成しているものであり、この乗客データベースには、乗客ＩＤであるユーザＩＤに対応して乗り物名である列車名、列車ＩＤ、乗り場所名である発駅名、発駅ＩＤ、乗り場情報であるプラットホーム番号、駅への入場時刻、列車の出発時刻、行き先名、到着時刻などが保存されたり、更には乗客ＩＤに対応して途中乗り換えを含む乗り物名、乗り場情報、出発時刻、行き先名、および到着時刻が途中乗換え含有登録情報として保存されるようになっている。
【００６１】
次に、以上のように構成される乗降案内システムの作用について図３に示すシーケンス図および図４〜図７に示すフローチャートを参照して説明する。なお、図３のシーケンス図と図４〜図７のフローチャートにおいて同じ処理には同じステップ番号が付されている。
【００６２】
まず、図３に示すシーケンス図を参照して、本実施形態の乗降案内システムの全体の作用について説明する。なお、図３のシーケンス図は、一例として乗り換えがある場合を示しているものであり、そのために列車２１のドア２３の近傍に設けられているＩＣカード型列車出入口用データ送信装置２５と同じものが乗り換え列車のドアの近傍にもＩＣカード型乗換列車出入口用データ送信装置３３として設けられているものとし、ＩＣカード型乗換列車出入口用データ送信装置３３が図示されている。
【００６３】
乗客１が携帯電話３を所持して、改札口７から駅５内に入場する際に（ステップＳ１０１）、この改札口７に設けられているＩＣカード型発駅改札口用データ送信装置８に携帯電話３をかざすなどの操作を行うと、このＩＣカード型発駅改札口用データ送信装置８から送信されている無線データの発駅ＩＤが携帯電話３のデータ受信手段５１で受信され、携帯電話３から発駅ＩＤ、ユーザＩＤ、入場時刻からなる入場通知データがセンタ装置１５に送信され、これによりセンタ装置１５は乗客１が当該駅５に入場したことを知ることができ、この乗客１の今後の乗降を監視するためにこれらの情報をデータベースに保存する（ステップＳ１５）。なお、上記例では、入場時刻を入場通知データに含ませて携帯電話３からセンタ装置１５に送信しているように説明しているが、本発明はこれに限定されるものでなく、センタ装置１５が当該入場通知データを受信した場合に、この受信時刻を入場時刻としてもよいものである。同じことは出場時刻なども適用し得るものである。
【００６４】
乗客１は、上述したように改札口７から駅５に入ると、次の駅５の改札口７の近傍などに設けられている目的駅一覧装置９で乗客１が行こうとしている目的駅のＩＣカード型目的駅ＩＤデータ送信装置９ａの前に携帯電話３をかざすなどの操作を行って、このＩＣカード型目的駅ＩＤデータ送信装置９ａから送信されている無線データの目的駅ＩＤを携帯電話３のデータ受信手段５１で受信し（ステップＳ１０３）、この受信した目的駅ＩＤ、ユーザＩＤを目的駅通知データとして携帯電話３からセンタ装置１５に送信する（ステップＳ１７）。
【００６５】
センタ装置１５は、上述したように目的駅ＩＤをユーザＩＤとともに受け取ると、先に受け取っている発駅ＩＤ、入場時刻とから当該乗客１がどの発駅からどの目的駅に何時に行こうとしているのかを知ることができるので、この発駅から目的駅までの情報で乗り換え情報提供システム１９の乗換案内情報データベースを検索すると、この発駅から目的駅までの経路において乗り換えが必要である場合には、乗り換え情報提供システム１９から乗り換え情報を入手することができる（ステップＳ１０５）。
【００６６】
すなわち、乗り換え情報提供システム１９の乗換案内情報データベースは、上述したように、乗車駅、行き先駅、希望発車時刻または希望到着時刻などの入力情報に対して、乗車駅で乗車すべき列車名と時刻、乗車するプラットホーム、途中乗り換え駅がある場合には、乗り換えのために下車する駅名と時刻、乗り換える駅で乗車すべき列車名と時刻、乗車するプラットホーム、行き先駅到着予定時刻などの案内情報を提供し得るように各列車の発車駅、到着駅、発車時刻、到着時刻に関する情報を登録しているので、発駅から目的駅までの情報と時刻情報で乗換案内情報データベースを検索することにより、発駅で乗車すべき列車名と時刻、乗車する乗り場情報であるプラットホーム番号などの情報を取得することができるとともに、また途中乗り換え駅がある場合には、乗り換えのために下車する駅名と時刻、乗り換える駅で乗車すべき列車名と時刻、乗車するプラットホーム番号、行き先駅到着予定時刻などの情報を取得することができる。
【００６７】
従って、センタ装置１５は、このように乗り換え情報提供システム１９から取得した情報に従ってプラットホーム番号、行き先列車情報などを含んだ乗り場案内情報を場合によっては入場間違い通知、出場間違い通知などと共に改札口を通加して、その近辺にいる乗客１の携帯電話３に送信する（ステップＳ１０７）。乗客１は、携帯電話３の呼び出し音が鳴るかまたは携帯電話３が振動するなどによりセンタ装置１５からの着信を知ると、これに応答してセンタ装置１５からの乗り場案内情報を聞くことができ、乗客１はこの乗り場案内情報に従って目的駅に行き列車の乗り場に容易に進み、目的駅行きの列車に乗車することができる。
【００６８】
このようにして、乗客１は、この乗り場案内情報に従い、行き先列車（Ａ）２１にドア２３から乗車する（ステップＳ１０９）。この乗車に際しては、列車のドア２３の近傍に設けられているＩＣカード型列車出入口用データ送信装置２５から当該列車の列車ＩＤが無線データで送信されているので、乗客１は携帯電話３をこのＩＣカード型列車出入口用データ送信装置２５にかざすなどの操作を行うと、列車ＩＤが携帯電話３のデータ受信手段５１で受信され、この受信した列車ＩＤがユーザＩＤ、時刻情報とともに乗車通知データとして携帯電話３からセンタ装置１５に送信される（ステップＳ１９）。
【００６９】
センタ装置１５は、乗客１の携帯電話３から列車ＩＤなどの情報を受け取り、乗客１が列車２１に乗車したことを知ると、この列車（Ａ）２１の運行状況を列車運行状況管理システム１７に確認するとともに（ステップＳ１１１）、乗り換えが必要である場合には、乗り換え駅、乗換駅への到着予定時刻などを含む乗り換え案内情報をセンタ装置１５から携帯電話３に送信する（ステップＳ６１）。乗客１は、携帯電話３で乗り換え案内情報を聞き、どこで乗り換えなければならないかを適確に知ることができる。
【００７０】
また、センタ装置１５は、列車運行状況管理システム１７にアクセスして、乗客１が乗車した列車（Ａ）２１の運行状況を把握し、当該列車が乗り換え駅に接近すると（ステップＳ１１２）、乗換駅名、乗換列車名、乗り場情報、乗換列車の発車予定時刻等を含む乗り換え駅接近案内情報を乗客１の携帯電話３に送信する（ステップＳ２９）。
【００７１】
乗客１は、携帯電話３でセンタ装置１５からの乗り換え駅接近案内情報を受信して聴取すると、乗り換え駅が接近したことを知り、乗り換え駅を乗り過ごすことなく列車（Ａ）２１を下車し、乗り換え列車（Ｂ）２１に乗車する（ステップＳ１１３）。
【００７２】
この列車（Ｂ）２１への乗り換え乗車に際しては、列車（Ｂ）２１のドアの近傍に設けられているＩＣカード型乗換列車出入口用データ送信装置３３から当該列車の列車ＩＤが無線データで送信されているので、乗客１は携帯電話３をこのＩＣカード型乗換列車出入口用データ送信装置３３にかざすなどの操作を行うと、列車ＩＤが携帯電話３のデータ受信手段５１で受信され、この受信した列車ＩＤがユーザＩＤ、時刻情報とともに乗車通知データとして携帯電話３からセンタ装置１５に送信される（ステップＳ１１５）。
【００７３】
センタ装置１５は、乗客１の携帯電話３から乗り換えた列車（Ｂ）２１の列車ＩＤなどの情報を受け取ると、乗客１が乗り換え用の列車（Ｂ）２１に乗車したことを知ることができ、この列車（Ｂ）２１の運行状況を列車運行状況管理システム１７に確認する（ステップＳ１１７）。
【００７４】
センタ装置１５は、列車運行状況管理システム１７にアクセスして、乗客１が乗り換えた列車（Ｂ）２１の運行状況を把握し、当該列車が目的駅に接近すると（ステップＳ１１９）、目的駅名等を含む目的駅接近案内情報を乗客１の携帯電話３に送信する（ステップＳ２９）。なお、このステップＳ２９の番号が、先の乗り換え時のステップＳ２９と同じであるのは、図４で示すように、本乗降案内システムが乗り換え駅接近および目的駅接近に対して同じ処理を単に繰り返しているからである。
【００７５】
乗客１は、携帯電話３でセンタ装置１５からの目的駅接近案内情報を受信して聞くと、目的駅が近づいていることを知ることができ、乗り過ごすことなく、目的駅で下車し、目的駅の改札口を通過する。そして、乗客１は、この改札口の通過に際して、この改札口に設けられているＩＣカード型発駅改札口用データ送信装置８と同様なＩＣカード型目的駅改札口用データ送信装置に携帯電話３をかざすなどの操作を行うと、このＩＣカード型目的駅改札口用データ送信装置から送信されている目的駅ＩＤ、列車ＩＤ（乗り物名）を携帯電話３のデータ受信手段５１で受信し、この受信した目的駅ＩＤ、列車ＩＤ（乗り物名）をユーザＩＤ、出場時刻（降車時刻）とともに目的駅出場通知データ（降りた情報）として携帯電話３からセンタ装置１５に送信する（ステップＳ２１）。これによりセンタ装置１５は、乗客１が無事に目的駅に到着して下車したことを確認することができる。
【００７６】
なお、前記出場時刻（降車時刻）は、上記実施形態では携帯電話３からセンタ装置に送信するようになっているが、本発明はこれに限定されるものではなく、上述したように、センタ装置が目的駅出場通知データを受信した場合に、この受信時刻を出場時刻（降車時刻）としてもよいものである。
【００７７】
次に、図４〜図７に示すフローチャートを参照して、上記作用である本実施形態の乗降案内システムの作用を更に詳しく説明する。なお、この図４〜図７の説明では、乗車中フラグを設け、乗客１が乗車中である場合には、この乗車中フラグを「１」に設定するようにしている。また、図４〜図７のフローチャートで示す処理は、飛び先記号（イ）、（ロ）、（ハ）、（ニ）、（ホ）により互いに連続しているものである。
【００７８】
まず、図４に示す本処理の最初において、乗客１は列車に乗車していない状態にあるため、乗車中フラグは、０に設定される（ステップＳ１１）。それから、本乗降案内システムのセンタ装置１５は、乗客の携帯電話３から何らかのデータを受信したか否かがチェックされる（ステップＳ１３）。データを受信していない場合には、乗車中フラグが１であるか否かが判定される（ステップＳ２３）。この判定でも、乗車中フラグが本処理の最初のように１に設定されていない場合には、ステップＳ１３に戻り、この間の処理を繰り返すことになる。
【００７９】
ステップＳ１３のチェックにおいて、データを受信し、この受信データが入場通知データである場合には（ステップＳ１５）、飛び先記号「ロ」に従って図５のステップＳ４１に進む。また、受信データが目的駅通知データである場合には（ステップＳ１７）、飛び先記号「ハ」に従って図５のステップＳ５１に進む。受信データが乗車通知データである場合には（ステップＳ１９）、飛び先記号「ニ」に従って図６のステップＳ７３に進む。更に、受信データが目的駅出場通知データである場合には（ステップＳ２１）、飛び先記号「ホ」に従って図７のステップＳ９１に進む。
【００８０】
まず、受信データとして入場通知データを受信した場合（ステップＳ１５）について説明する。この場合には、図５のステップＳ４１に進み、ここでセンタ装置１５は、携帯電話３から受信した入場通知データのうちの発駅ＩＤ、入場時刻をユーザＩＤに関連づけて前記乗客データベースに保存する。それから、センタ装置１５は、受信データから目的駅のデータが入力されているか否かをチェックする（ステップＳ４３）。目的駅の情報が入力されていない場合には、乗客１のユーザＩＤに基づき当該乗客１の携帯電話３を呼び出し、乗客１に対して目的駅を入力する旨の案内を行ってから（ステップＳ４５）、ステップＳ１３に戻る。
【００８１】
また、目的駅の情報が入力されている場合には、今まで入力された発駅ＩＤ、目的駅ＩＤ、入場時刻を乗り換え情報提供システム１９に提示し、必要により乗り換え情報を乗り換え情報提供システム１９から取得し、乗客データベースに保存する（ステップＳ６１）。それから、センタ装置１５は、乗車中フラグが１であるかまたは０であるかを判定し、乗車中フラグが１である場合には、すなわち、乗客１が列車２１に乗車している場合には、乗客１の携帯電話３に接続し、上述したように乗客データベースに格納した乗り換え情報に基づき乗り換え案内または乗り換えがない場合には目的駅情報案内を行ってから（ステップＳ６５）、ステップＳ１３に戻る。
【００８２】
また、乗車中フラグが０である場合、すなわち乗客１がまだ列車２１に乗車していない場合には、この乗客１の携帯電話３に接続し、前記乗り換え情報または目的駅情報に基づき乗り場案内を行ってから（ステップＳ６７）、ステップＳ１３に戻る。
【００８３】
次に、受信データとして目的駅通知データを受信した場合（ステップＳ１７）について説明する。この場合には、図５のステップＳ５１に進み、ここでセンタ装置１５は、携帯電話３から受信した目的駅通知データのうちの目的駅ＩＤをユーザＩＤに関連づけて前記乗客データベースに保存する。それから、センタ装置１５は、受信データから発駅の情報が入力されているか否かをチェックする（ステップＳ５３）。発駅の情報が入力されていない場合には、乗客１の携帯電話３に接続し、乗客１に対して発駅の改札口７を通って、改札口７に設けられているＩＣカード型発駅改札口用データ送信装置８に携帯電話３をかざすなどの操作を行って発駅情報を入力するように案内してから（ステップＳ５５）、ステップＳ１３に戻る。
【００８４】
また、発駅の情報が入力されている場合には、今まで入力された発駅ＩＤ、目的駅ＩＤ、入場時刻を乗り換え情報提供システム１９に提示し、必要により乗り換え情報を乗り換え情報提供システム１９から取得し、乗客データベースに保存する（ステップＳ６１）。それから、センタ装置１５は、乗車中フラグが１であるかまたは０であるかを判定し、乗車中フラグが１である場合には、すなわち、乗客１が列車２１に乗車している場合には、乗客１の携帯電話３に接続し、上述したように乗客データベースに格納した乗り換え情報に基づき乗り換え案内または乗り換えがない場合には目的駅情報案内を行ってから（ステップＳ６５）、ステップＳ１３に戻る。
【００８５】
また、乗車中フラグが０である場合、すなわち乗客１がまだ列車２１に乗車していない場合には、この乗客１の携帯電話３に接続し、前記乗り換え情報または目的駅情報に基づき乗り場案内を行ってから（ステップＳ６７）、ステップＳ１３に戻る。
【００８６】
次に、受信データとして乗車通知データを受信した場合（ステップＳ１９）について説明する。この場合には、図６のステップＳ７１に進み、センタ装置１５は、乗客１が列車２１に乗車したということにより、乗車中フラグを１に設定し、乗車中であるように設定し、それから目的駅情報が入力されているか否かを判定する（ステップＳ７３）。目的駅情報が入力されていない場合には、センタ装置１５は乗客１の携帯電話３に接続し、目的駅情報を入力するように案内し（ステップＳ７５）、ステップＳ１３に戻る。
【００８７】
また、目的駅情報が入力されている場合には、センタ装置１５は、乗客１から今まで入力されて乗客データベースに格納されている発駅情報、目的駅情報などに基づき乗客１が乗車した列車が正しい列車であるか否かを判定する（ステップＳ７７）。乗客１が正しい列車に乗っている場合には、センタ装置１５は乗客１の携帯電話３に接続し、乗り換え案内または目的駅情報案内を行ってから（ステップＳ７９）、ステップＳ１３に戻る。
【００８８】
更に、ステップＳ７７の判定において、乗客１が乗車した列車が正しい列車でない場合には、乗客１の携帯電話３に接続し、乗車誤り案内を行うとともに、目的駅に行くための乗り換えシステムを案内し（ステップＳ８１）、ステップＳ１３に戻る。
【００８９】
次に、受信データとして目的駅出場通知データを受信した場合（ステップＳ２１）について説明する。この場合には、図７のステップＳ９１に進み、センタ装置１５は、乗客１が出場した駅が正しい目的駅であるか否かを判定し、正しい目的駅である場合には、本処理を終了するが、乗客１が出場した駅が正しい目的駅でない場合には、乗客１の携帯電話３に接続し、下車誤り案内を行うとともに、目的駅に行くための乗り換えシステムを案内し（ステップＳ９３）、ステップＳ１３に戻る。
【００９０】
また、図４に示した前記ステップＳ２３の判定において、乗車中フラグが１に設定されている場合には、乗客１の乗った列車の運行状況を列車運行状況管理システム１７に確認し（ステップＳ２５）、これにより乗客１の乗った列車が乗り換え駅または目的駅に接近したか否かを判定する（ステップＳ２７）。乗客１の乗った列車が乗り換え駅または目的駅に接近していない場合には、ステップＳ１３に戻るが、乗客１の乗った列車が乗り換え駅または目的駅に接近している場合には、センタ装置１５は、乗客１の携帯電話３に接続し、乗り換え駅が近い場合には、乗り換え駅接近案内を行い、また目的駅が近い場合には、目的駅接近案内を行い（ステップＳ２９）、それから乗車中フラグを０に設定し（ステップＳ３１）、ステップＳ１３に戻る。
【００９１】
次に、図８および図９を参照して、本発明の他の実施形態に係る乗降案内システムについて説明する。この実施形態は、図１に示した実施形態において列車２１のドア２３の近傍に設けたＩＣカード型列車出入口用データ送信装置２５を削除し、この代わりに乗客１自身が携帯電話３のボタン押下や携帯電話３への音声入力により乗客１自身が乗車した列車名を選択的に入力するようにしている点のみが異なるものであり、その他の構成および作用は図１の実施形態の乗降案内システムと同じである。
【００９２】
この実施形態の乗降案内システムの作用について図８のシーケンス図では、前記ステップＳ１０７の乗り場案内情報の送信の次に、センタ装置１５は、乗客１の携帯電話３に接続し、乗客１が列車に乗車したか否かの確認通知を行うようになっている（ステップＳ１２１）。そして、乗客１は、この乗車確認通知により、乗客１自身が携帯電話３のボタン押下や携帯電話３への音声入力により乗客１自身が乗車した列車名を選択的に入力するという乗車通知操作を行い（ステップＳ１２３）、これにより乗客１の乗車した列車名が入力されることになる。図８におけるその他の処理は、図３で説明した処理とすべて同じである。
【００９３】
次に、図９に示すフローチャートを参照して、本実施形態における異なる部分の処理について説明する。本実施形態では、上述したステップＳ２７における乗り換え駅または目的駅に接近した否かについての判定において、接近していない場合の処理が異なっている。すなわち、乗客１の乗車した列車が乗り換え駅または目的駅に接近していない場合には、センタ装置１５は、前記乗客データベースに格納された乗客１の情報に基づき乗客１が列車に乗車すべき時刻になったか否かを判定する（ステップＳ１１１）。乗車すべき時刻でない場合には、ステップＳ１３に戻るが、乗車すべき時刻である場合には、乗客１の携帯電話３に接続し、乗客１が乗車したか否かを確認するための乗車確認通知を送信する（ステップＳ１２１）。なお、通知では、列車名一覧とこの一覧から列車名を選択入力する旨のメッセージが乗客１に送信される。
【００９４】
なお、上記各実施形態では、ＩＣカード型発駅改札口用データ送信装置８、ＩＣカード型目的駅ＩＤデータ送信装置９ａ、ＩＣカード型列車出入口用データ送信装置２５、ＩＣカード型乗換列車出入口用データ送信装置３３などを使用して、発駅ＩＤ、目的駅ＩＤ、列車ＩＤなどを携帯電話３でデータ送信装置から受信し、この受信した各情報をセンタ装置１５に送信するようにしているが、本発明は、これに限定されるものでなく、このような発駅ＩＤ、目的駅ＩＤ、列車ＩＤの受信または入力として例えば乗客１自身が携帯電話３からボタン操作などにより直接入力し、この入力された情報をセンタ装置１５に送信してもよいし、その他の種々のシステムがあるものである。
【００９５】
なお、上記実施形態の乗降案内システムの処理手順をプログラムとして例えばＣＤやＦＤなどの記録媒体などに記録して、この記録媒体に記録されたプログラムを通信回線を介してコンピュータシステムにダウンロードしたり、または記録媒体からインストールし、該プログラムでコンピュータシステムを作動させることにより、乗降案内システムを実施する乗降案内システムとして機能させることができることは勿論であり、このような記録媒体を用いることにより、その流通性を高めることができるものである。
【００９６】
【発明の効果】
以上説明したように、本発明によれば、センタ装置は乗客の携帯端末から乗り場所名、行き先名を受信し、これらの情報に基づきデータベースから乗り物名、乗り場情報、出発時刻、到着時刻を取得し、乗客データベースに登録するとともに、乗客の携帯端末を呼び出し、乗り物名、乗り場情報、出発時刻、行き先名、到着時刻などの案内を乗客に行い、乗客が乗り物に乗り込むと、乗り物名を携帯端末から受信し、この乗り物が正しいか否か判定し、正しくない場合には、携帯端末で正しい乗り物案内を行い、正しい乗り物に乗り込むと、その運行状況を監視し、行き先に接近すると、携帯端末で行き先接近案内を行い、乗客が乗り物から降りると、降りた情報を携帯端末から受信し、この降り場所が正しいか判定し、正しくない場合には、携帯端末で降り場所誤り通知および正しい乗降案内を行うので、乗客は例えば不慣れな駅で列車に乗る場合や不慣れな場所に列車で行くような場合でも、行き先名の設定さえ間違えなければセンタ装置からの案内により正しい乗り場で正しい乗り物に乗って、所望の正しい行き先に迷うことなく正確かつ簡単に行くことができ、この場合に行き先の駅などにいつ到着するのかなどを気にしたり、また乗り過ごすこともない。
【００９７】
また、本発明によれば、センタ装置は乗客の携帯端末から乗り場所名、行き先名を受信し、これらの情報に基づきデータベースから途中乗り換えを含む乗り物名、乗り場情報、出発時刻、到着時刻を取得し、乗客データベースに登録するとともに、乗客の携帯端末を呼び出し、途中乗り換えを含む乗降案内を乗客に行い、乗客が乗り物に乗り込むと、乗り物名を携帯端末から受信し、この乗り物が正しいか否か判定し、正しくない場合には、携帯端末で正しい乗り物案内を行い、正しい乗り物に乗り込むと、その運行状況を監視し、乗り物が途中乗換場所に接近すると、携帯端末で途中乗換場所接近案内を行い、乗客が途中乗換場所で乗り物から降りると、降り場所名を携帯端末から受信し、この途中乗換場所が正しいか判定し、正しくない場合には、携帯端末で途中乗換場所誤り通知および正しい乗降案内を行い、途中乗換用乗り物に乗り込むと、乗り物名を携帯端末から受信し、この乗り物が正しいか否か判定し、正しくない場合には、携帯端末で正しい乗り物案内を行い、乗客が乗り物から降りると、降りた情報を携帯端末から受信し、この降り場所が正しいか判定し、正しくない場合には、携帯端末で降り場所誤り通知および正しい乗降案内を行うので、乗客は例えば不慣れな駅で列車に乗る場合や不慣れな場所に列車で行くような場合であって、途中の乗り換えを行うような複雑な場合でも、行き先名の設定さえ間違えなければセンタ装置からの案内により途中の乗り換えを正確に行いながら、正しい乗り場で正しい乗り物に乗って、所望の正しい行き先に迷うことなく正確かつ簡単に行くことができ、この場合に途中の乗り換え駅や行き先の駅などにいつ到着するのかなどを気にしたり、また乗り過ごすこともない。
【００９８】
更に、本発明によれば、乗客が乗り物に乗降する場合の乗り場所名、行き先名、乗込み乗り物名、降り場所名の情報は、すべてデータ送信装置から送信される無線データを携帯型通信端末で受信し、センタ装置に送信するので、乗客は単にデータ送信装置のそばを通過するかまたは携帯型通信端末をデータ送信装置にかざすなどの操作により乗り場所名、行き先名、乗込み乗り物名、降り場所名の情報はすべて自動的かつ正確にセンタ装置に送信され、乗客は例えばボタン操作などの煩わしく間違い易い操作が不要となり、操作性の向上および効率化を図ることができる。
【図面の簡単な説明】
【図１】本発明の一実施形態に係る乗降案内システムの構成を示す図である。
【図２】図１に示す乗降案内システムの詳細な構成を示すブロック図である。
【図３】図１に示す実施形態の乗降案内システムの作用を示すシーケンス図である。
【図４】図１に示す実施形態の乗降案内システムの作用の一部を示すフローチャートである。
【図５】図１に示す実施形態の乗降案内システムの図４に続く作用の一部を示すフローチャートである。
【図６】図１に示す実施形態の乗降案内システムの図５に続く作用の一部を示すフローチャートである。
【図７】図１に示す実施形態の乗降案内システムの図６に続く残りの作用を示すフローチャートである。
【図８】本発明の他の実施形態に係る乗降案内システムの作用を示すシーケンス図である。
【図９】図８に示す他の実施形態の乗降案内システムの作用の一部を示すフローチャートである。
【符号の説明】
３  携帯電話
７  改札口
８  ＩＣカード型発駅改札口用データ送信装置
９  目的駅一覧装置
９ａ  ＩＣカード型目的駅ＩＤデータ送信装置
１１  携帯電話基地局
１５  センタ装置
１７  列車運行状況管理システム
１９  乗り換え情報提供システム
２１  列車
２３  ドア
２５  ＩＣカード型列車出入口用データ送信装置
３３  ＩＣカード型乗換列車出入口用データ送信装置
５１  携帯電話のデータ受信手段
【図１】
0003635039.tif 000002
【図２】
0003635039.tif 000003
【図３】
0003635039.tif 000004
【図４】
0003635039.tif 000005
【図５】
0003635039.tif 000006
【図６】
0003635039.tif 000007
【図７】
0003635039.tif 000008
【図８】
0003635039.tif 000009
【図９】
0003635039.tif 000010